(57)【特許請求の範囲】
【請求項１】
無線ネットワーク中の基地局のために自動ネイバー・リレーション（ＡＮＲ）機能の実行を促進するための方法であって、
アクセス端末からネイバー・セル検出データを受信することであって、前記ネイバー・セル検出データは前記アクセス端末によって検出されたネイバー・セルを特定する、ネイバー・セル検出データを受信することと、
運用・保守（ＯＡＭ）システムにネイバー・リスト報告を送信することであって、前記ネイバー・リスト報告はネイバー・リストに対する最新版を含む、ネイバー・リスト報告を送信することと、
前記ＯＡＭシステムからネイバー・セル管理データを受信することであって、前記ネイバー・セル管理データは少なくとも１つのＡＮＲ機能を実行することを促進するデータを含む、ネイバー・セル管理データを受信することと、
前記ネイバー・セル管理データおよび前記ネイバー・セル検出データに応じて前記ネイバー・リストの最新化を自動化することと、
を具備する方法。
【請求項２】
前記ネイバー・セル管理データを受信することが、前記ネイバー・リストのハンドオーバー・リレーションの側面を最新化するためのコマンドを受信することを含む、
請求項１の方法。
【請求項３】
前記ネイバー・セル管理データを受信することが、前記ネイバー・リストのＸ２リレーションの側面を最新化するためのコマンドを受信することを含む、
請求項１の方法。
【請求項４】
前記ネイバー・セル管理データを受信することが、ハンドオーバー・ブラックリストまたはハンドオーバー・ホワイトリストのうちの少なくとも１つを受信することを含み、
前記自動化することが、前記ネイバー・リストのハンドオーバー・リレーションの側面を、前記少なくとも１つのハンドオーバー・ブラックリストまたはハンドオーバー・ホワイトリストに応じて最新化することを含む、
請求項１の方法。
【請求項５】
前記ネイバー・セル管理データを受信することが、Ｘ２ブラックリストまたはＸ２ホワイトリストのうちの少なくとも１つを受信することを含み、
前記自動化することが、前記ネイバー・リストのＸ２リレーションの側面を前記少なくとも１つのＸ２ブラックリストまたはＸ２ホワイトリストに応じて最新化することを含む、
請求項１の方法。
【請求項６】
前記ネイバー・セル管理データを受信することが、ＩＰアドレスを受信することを含み、
前記自動化することが、前記ＩＰアドレスを含めるように前記ネイバー・リストのＸ２リレーションの側面を最新化することを含む、
請求項１の方法。
【請求項７】
グローバルＩＤ要求を前記アクセス端末へ送信することをさらに具備し、
前記グローバルＩＤ要求が、前記ネイバー・セル検出データ中で識別されたネイバー・セルに対応し、
前記自動化することが、前記アクセス端末から受信されたグローバルＩＤを含めるように前記ネイバー・リストを最新化することを含む、
請求項１の方法。
【請求項８】
前記ネイバー・セル検出データの少なくとも一部を前記ＯＡＭシステムに送信することをさらに具備する、
請求項１の方法。
【請求項９】
前記ネイバー・セル管理データを受信することが、ネイバー・リスト最新化要求を受信することを含み、
前記ネイバー・リスト最新化要求が、ハンドオーバー・リレーション最新版またはＸ２リレーション最新版の少なくとも１つを含み、
前記自動化することが、前記ネイバー・リストのハンドオーバー・リレーションの側面または前記ネイバー・リストのＸ２リレーションの側面の少なくとも１つを前記ネイバー・リスト最新化要求に応じて最新化することを含む、
請求項１の方法。
【請求項１０】
無線システムにおいて自動ネイバー・リレーション（ＡＮＲ）機能の実行を促進するための基地局であって、
前記基地局とアクセス端末との間の通信を促進するように構成されている無線通信リソース制御（ＲＲＣ）コンポーネントであって、前記ＲＲＣコンポーネントは前記アクセス端末からネイバー・セル検出データを受信するように構成されており、前記ネイバー・セル検出データは前記アクセス端末によって検出されたネイバー・セルを特定する、無線通信リソース制御（ＲＲＣ）コンポーネントと、
前記基地局と運用・保守（ＯＡＭ）システムとの間の通信を促進するように構成されているインターフェース・コンポーネントであって、前記インターフェース・コンポーネントは前記ＯＡＭシステムにネイバー・リスト報告を送信するように構成されており、前記ネイバー・リスト報告はネイバー・リストに対する最新版を含み、前記インターフェース・コンポーネントは前記ＯＡＭシステムからネイバー・セル管理データを受信するように構成されており、前記ネイバー・セル管理データは少なくとも１つのＡＮＲ機能を実行することを促進するデータを含んでいる、インターフェース・コンポーネントと、
前記ネイバー・セル管理データおよび前記ネイバー・セル検出データに応じて自動的に前記ネイバー・リストを最新化するように構成されているＡＮＲ機能コンポーネントと、
を具備する基地局。
【請求項１１】
前記ネイバー・セル管理データが、前記ネイバー・リストのハンドオーバー・リレーションの側面を最新化するためのコマンドを含み、
前記ＡＮＲ機能コンポーネントが、前記コマンドをハンドオーバー・リレーション・サブコンポーネントへの入力として受信するように構成されており、
前記ＡＮＲ機能コンポーネントが、前記コマンドに従って前記ネイバー・リストの前記ハンドオーバー・リレーションの側面を自動的に最新化するように構成されている、
請求項１０の基地局。
【請求項１２】
前記ネイバー・セル管理データが、前記ネイバー・リストのＸ２リレーションの側面を最新化するためのコマンドを含み、
前記ＡＮＲ機能コンポーネントが、前記コマンドをＸ２リレーション・サブコンポーネントへの入力として受信するように構成されており、
前記ＡＮＲ機能コンポーネントが、前記コマンドに従って前記ネイバー・リストの前記Ｘ２リレーションの側面を自動的に最新化するように構成されている、
請求項１０の基地局。
【請求項１３】
前記ネイバー・セル管理データが、ハンドオーバー・ブラックリストまたはハンドオーバー・ホワイトリストのうちの少なくとも１つを含み、
前記ＡＮＲ機能コンポーネントが、前記少なくとも１つのハンドオーバー・ブラックリストまたはハンドオーバー・ホワイトリストをハンドオーバー・リレーション・サブコンポーネントへの入力として受信するように構成されており、
前記ＡＮＲ機能コンポーネントが、前記ネイバー・リストのハンドオーバー・リレーションの側面を前記少なくとも１つのハンドオーバー・ブラックリストまたはハンドオーバー・ホワイトリストに応じて自動的に最新化するように構成されている、
請求項１０の基地局。
【請求項１４】
前記ネイバー・セル管理データが、Ｘ２ブラックリストまたはＸ２ホワイトリストのうちの少なくとも１つを含み、
前記ＡＮＲ機能コンポーネントが、前記少なくとも１つのＸ２ブラックリストまたはＸ２ホワイトリストをＸ２リレーション・サブコンポーネントへの入力として受信するように構成されており、
前記ＡＮＲ機能コンポーネントが、前記ネイバー・リストのＸ２リレーションの側面を前記少なくとも１つの前記Ｘ２ブラックリストまたはＸ２ホワイトリストに応じて自動的に最新化するように構成されている、
請求項１０の基地局。
【請求項１５】
前記ネイバー・セル管理データが、ＩＰアドレスを含み、
前記ＡＮＲ機能コンポーネントが、前記ＩＰアドレスを含めるように前記ネイバー・リストを自動的に最新化するように構成されている、
請求項１０の基地局。
【請求項１６】
前記ＲＲＣコンポーネントが、前記アクセス端末へグローバルＩＤ要求を送信するようにさらに構成されており、
前記グローバルＩＤ要求が、前記ネイバー・セル検出データ中で識別されたネイバー・セルに対応し、
前記ＡＮＲ機能コンポーネントが、前記アクセス端末から受信されたグローバルＩＤを含めるように前記ネイバー・リストを自動的に最新化するように構成されている、
請求項１０の基地局。
【請求項１７】
前記インターフェース・コンポーネントが、前記ネイバー・セル検出データの少なくとも一部を前記ＯＡＭシステムに送信するようにさらに構成されている、
請求項１０の基地局。
【請求項１８】
前記ネイバー・セル管理データが、ネイバー・リスト最新化要求を含み、
前記ネイバー・リスト最新化要求が、ハンドオーバー・リレーション最新版またはＸ２リレーション最新版のうちの少なくとも１つを含み、
前記ＡＮＲ機能コンポーネントが、前記ネイバー・リストのハンドオーバー・リレーションの側面または前記ネイバー・リストのＸ２リレーションの側面のうちの少なくとも１つを前記ネイバー・リスト最新化要求に応じて自動的に最新化するように構成されている、
請求項１０の基地局。
【請求項１９】
無線システムにおいて自動ネイバー・リレーション（ＡＮＲ）機能の実行を基地局から促進するためのコンピュータ可読記憶媒体であって、
アクセス端末からネイバー・セル検出データを受信するためのコードであって、前記ネイバー・セル検出データは前記アクセス端末によって検出されたネイバー・セルを特定する、ネイバー・セル検出データを受信するためのコードと、
運用・保守（ＯＡＭ）システムにネイバー・リスト報告を送信するためのコードであって、前記ネイバー・リスト報告はネイバー・リストに対する最新版を含む、ネイバー・リスト報告を送信するためのコードと、
前記ＯＡＭシステムからネイバー・セル管理データを受信するためのコードであって、前記ネイバー・セル管理データは少なくとも１つのＡＮＲ機能を実行することを促進するデータを含む、ネイバー・セル管理データを受信するためのコードと、
前記ネイバー・セル管理データおよび前記ネイバー・セル検出データに応じて前記ネイバー・リストの最新化を自動化するためのコードと、
を具備するコンピュータ可読記憶媒体。
【請求項２０】
無線システムにおいて自動ネイバー・リレーション（ＡＮＲ）機能の実行を基地局から促進するための装置であって、
アクセス端末からネイバー・セル検出データを受信するための手段であって、前記ネイバー・セル検出データは前記アクセス端末によって検出されたネイバー・セルを特定する、ネイバー・セル検出データを受信するための手段と、
運用・保守（ＯＡＭ）システムにネイバー・リスト報告を送信するための手段であって、前記ネイバー・リスト報告はネイバー・リストに対する最新版を含む、ネイバー・リスト報告を送信するための手段と、
前記ＯＡＭシステムからネイバー・セル管理データを受信するための手段であって、前記ネイバー・セル管理データは少なくとも１つのＡＮＲ機能を実行することを促進するデータを含む、ネイバー・セル管理データを受信するための手段と、
前記ネイバー・セル管理データおよび前記ネイバー・セル検出データに応じて前記ネイバー・リストの最新化を自動化するための手段と、
を具備する装置。
【請求項２１】
無線ネットワーク中の運用・保守（ＯＡＭ）システムが基地局内の自動ネイバー・リレーション（ＡＮＲ）機能の実行を促進するための方法であって、
前記基地局からＡＮＲデータを受信することであって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対する最新版を含む、ＡＮＲデータを受信することと、
ネイバー・セル管理データを生成することであって、前記ネイバー・セル管理データは前記ＡＮＲデータに応じて生成されかつ少なくとも１つのＡＮＲ機能を実行することを促進するデータを含む、ネイバー・セル管理データを生成することと、
前記ネイバー・セル管理データを前記基地局へ送信することと、
を具備する方法。
【請求項２２】
前記生成することが、前記ネイバー・リストのハンドオーバー・リレーションの側面を最新化するためのコマンドを含んだネイバー・セル管理データを生成することを含む、
請求項２１の方法。
【請求項２３】
前記生成することが、前記ネイバー・リストのＸ２リレーションの側面を最新化するためのコマンドを含んだネイバー・セル管理データを生成することを含む、
請求項２１の方法。
【請求項２４】
前記生成することが、ハンドオーバー・ブラックリストまたはハンドオーバー・ホワイトリストのうちの少なくとも１つを含んだネイバー・セル管理データを生成することを含み、
前記少なくとも１つのハンドオーバー・ブラックリストまたはハンドオーバー・ホワイトリストが、前記ネイバー・リストのハンドオーバー・リレーションの側面を最新化するＡＮＲ機能の実行を促進する、
請求項２１の方法。
【請求項２５】
ネットワーク・マネージャ層と要素マネージャ層との間の通信を促進することをさらに具備し、
前記生成することが、前記少なくとも１つのハンドオーバー・ブラックリストまたはハンドオーバー・ホワイトリストの内容を前記通信に応じて生成する、
請求項２４の方法。
【請求項２６】
前記生成することが、Ｘ２ブラックリストまたはＸ２ホワイトリストのうちの少なくとも１つを含んだネイバー・セル管理データを生成することを含み、
前記少なくとも１つのＸ２ブラックリストまたはＸ２ホワイトリストが、前記ネイバー・リストのＸ２リレーションの側面を最新化するＡＮＲ機能の実行を促進する、
請求項２１の方法。
【請求項２７】
ネットワーク・マネージャ層と要素マネージャ層との間の通信を促進することをさらに具備し、
前記生成することが、前記少なくとも１つのＸ２ブラックリストまたはＸ２ホワイトリストの内容を前記通信に応じて生成する、
請求項２６の方法。
【請求項２８】
前記生成することが、ＩＰアドレスを含んだネイバー・セル管理データを生成することを具備し、
前記ＩＰアドレスが、前記ＩＰアドレスを含めるように前記ネイバー・リストのＸ２リレーションの側面を最新化するＡＮＲ機能の実行を促進する、
請求項２１の方法。
【請求項２９】
前記生成することが、ネイバー・リスト最新化要求を含んだネイバー・セル管理データを生成することを具備し、
前記ネイバー・リスト最新化要求が、前記ネイバー・リストのハンドオーバー・リレーションの側面または前記ネイバー・リストのＸ２リレーションの側面の少なくとも１つを前記ネイバー・リスト最新化要求に応じて最新化するＡＮＲ機能の実行を促進する、
請求項２１の方法。
【請求項３０】
基地局において自動ネイバー・リレーション（ＡＮＲ）機能の実行を促進するための運用・保守（ＯＡＭ）システムであって、
前記基地局からＡＮＲデータを受信することを促進するように構成されている受信コンポーネントであって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対する最新版を含む、受信コンポーネントと、
ネイバー・セル管理データを生成することを促進するように構成されているＡＮＲマネージャ・コンポーネントであって、前記ネイバー・セル管理データは前記ＡＮＲデータに応じて生成されかつ少なくとも１つのＡＮＲ機能を実行することを促進するデータを含む、ＡＮＲマネージャ・コンポーネントと、
前記ネイバー・セル管理データを前記基地局へ送信するように構成されている送信コンポーネントと、
を具備するＯＡＭシステム。
【請求項３１】
前記ＡＮＲマネージャ・コンポーネントが、前記ネイバー・リストのハンドオーバー・リレーションの側面を最新化するためのコマンドを含んだネイバー・セル管理データを生成するように構成されている、
請求項３０のＯＡＭシステム。
【請求項３２】
前記ＡＮＲマネージャ・コンポーネントが、前記ネイバー・リストのＸ２リレーションの側面を最新化するためのコマンドを含んだネイバー・セル管理データを生成するように構成されている、
請求項３０のＯＡＭシステム。
【請求項３３】
前記ＡＮＲマネージャ・コンポーネントが、ハンドオーバー・ブラックリストまたはハンドオーバー・ホワイトリストのうちの少なくとも１つを含んだネイバー・セル管理データを生成するように構成されており、
前記少なくとも１つのハンドオーバー・ブラックリストまたはハンドオーバー・ホワイトリストが、前記ネイバー・リストのハンドオーバー・リレーションの側面を最新化するＡＮＲ機能の実行を促進する、
請求項３０のＯＡＭシステム。
【請求項３４】
前記ＡＮＲマネージャ・コンポーネントが、ネットワーク・マネージャ層および要素マネージャ層を具備し、
前記ＡＮＲマネージャ・コンポーネントが、前記少なくとも１つのハンドオーバー・ブラックリストまたはハンドオーバー・ホワイトリストの内容を前記ネットワーク・マネージャ層と前記要素マネージャ層との間の折衝に応じて生成するように構成されている、
請求項３３のＯＡＭシステム。
【請求項３５】
前記ＡＮＲマネージャ・コンポーネントが、Ｘ２ブラックリストまたはＸ２ホワイトリストのうちの少なくとも１つを含んだネイバー・セル管理データを生成するように構成されており、
前記少なくとも１つのＸ２ブラックリストまたはＸ２ホワイトリストが、前記ネイバー・リストのＸ２リレーションの側面を最新化するＡＮＲ機能の実行を促進する、
請求項３０のＯＡＭシステム。
【請求項３６】
前記ＡＮＲマネージャ・コンポーネントが、ネットワーク・マネージャ層および要素マネージャ層を具備し、
前記ＡＮＲマネージャ・コンポーネントが、前記少なくとも１つのＸ２ブラックリストまたはＸ２ホワイトリストの内容を前記ネットワーク・マネージャ層と前記要素マネージャ層との間の折衝に応じて生成するように構成されている、
請求項３５のＯＡＭ。
【請求項３７】
前記ＡＮＲマネージャ・コンポーネントが、ＩＰアドレスを含んだネイバー・セル管理データを生成するように構成されており、
前記ＩＰアドレスが、前記ＩＰアドレスを含めるように前記ネイバー・リストのＸ２リレーションの側面を最新化するＡＮＲ機能の実行を促進する、
請求項３０のＯＡＭ。
【請求項３８】
前記ＡＮＲマネージャ・コンポーネントが、ネイバー・リスト最新化要求を含んだネイバー・セル管理データを生成するように構成されており、
前記ネイバー・リスト最新化要求が、前記ネイバー・リストのハンドオーバー・リレーションの側面または前記ネイバー・リストのＸ２リレーションの側面の少なくとも１つを前記ネイバー・リスト最新化要求に応じて最新化するＡＮＲ機能の実行を促進する、
請求項３０のＯＡＭ。
【請求項３９】
基地局において自動ネイバー・リレーション（ＡＮＲ）機能の実行を運用・保守（ＯＡＭ）システムから促進するためのコンピュータ可読記憶媒体であって、
前記基地局からＡＮＲデータを受信するためのコードであって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対する最新版を含む、ＡＮＲデータを受信するためのコードと、
ネイバー・セル管理データを生成するためのコードであって、前記ネイバー・セル管理データは前記ＡＮＲデータに応じて生成されかつ少なくとも１つのＡＮＲ機能を実行することを促進するデータを含む、ネイバー・セル管理データを生成するためのコードと、
前記ネイバー・セル管理データを前記基地局へ送信するためのコードと、
を具備するコンピュータ可読記憶媒体。
【請求項４０】
基地局において自動ネイバー・リレーション（ＡＮＲ）機能の実行を運用・保守（ＯＡＭ）システムから促進するための装置であって、
前記基地局からＡＮＲデータを受信するための手段であって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対する最新版を含む、ＡＮＲデータを受信するための手段と、
ネイバー・セル管理データを生成するための手段であって、前記ネイバー・セル管理データは前記ＡＮＲデータに応じて生成されかつ少なくとも１つのＡＮＲ機能を実行することを促進するデータを含む、ネイバー・セル管理データを生成するための手段と、
前記ネイバー・セル管理データを前記基地局へ送信するための手段と、
を具備する装置。
【発明の詳細な説明】
【関連出願の表示】
【０００１】
この出願は、２００８年３月３１日に出願された「APPARATUS AND METHODS FOR ANR FUNCTION IN THE LTE NETWORKS」と題する米国仮特許出願番号６１／０４０，８４５の利益を要求する。
【技術分野】
【０００２】
本発明の実施形態は、本願は、概して無線通信に関し、より具体的にはロング・ターム・エボルーション（ＬＴＥ）システム中の自動ネイバー・リレーション（neighbor relation）（ＡＮＲ）機能の実行を促進する方法およびシステムに関する。
【背景技術】
【０００３】
無線通信システムは、音声、データなどのような様々な種類の通信内容を提供するために広く配備されている。これらのシステムは、利用可能なシステム・リソース（例えば帯域幅と送信電力）を共用することによって複数ユーザとの通信をサポートすることが可能な多元接続システムであり得る。そのような多元接続システムの例は符号分割多元接続（ＣＤＭＡ）システム、時分割多元接続（ＴＤＭＡ）システム、周波数分割多元接続（ＦＤＭＡ）システム、３ＧＰＰロング・ターム・エボルーション（ＬＴＥ）システム、および直交周波数分割多元接続（ＯＦＤＭＡ）システムを含んでいる。
【０００４】
概して、無線多元接続通信システムは、複数の無線端末のための通信を同時にサポートすることが可能である。そのようなシステムでは、各端末は、順方向リンクおよび逆方向リンク上の送信によって１つ以上の基地局と通信することが可能である。順方向リンク（あるいは下りリンク）は基地局から端末への通信リンクを指す。また、逆方向リンク（あるいは上りリンク）は端末から基地局への通信リンクを指す。この通信リンクは、単入力単出力（ＳＩＳＯ）、多入力単出力（ＭＩＳＯ）、または多入力多出力（ＭＩＭＯ）システムによって確立されることが可能である
ＭＩＭＯシステムは、データ送信のために、複数の（ＮＴ個の）送信アンテナおよび複数の（ＮＲ個の）受信アンテナを使用する。ＮＴ個の送信アンテナおよびＮＲ個の送信アンテナによって形成されたＭＩＭＯチャネルは、ＮＳ個の独立チャネル（空間チャネルとも称される）へ分解され得る。ＮＳ個の独立チャネルの各々は１次元に相当する。ＭＩＭＯシステムは複数の送信アンテナおよび受信アンテナによって形成されたさらなる数の次元が利用されると、改善された性能（例えばより高いスループットおよび／またはより大きな信頼度）を提供することが可能である。
【０００５】
ＭＩＭＯシステムは、時分割２重（ＴＤＤ）および周波数分割２重（ＦＤＤ）システムをサポートする。ＴＤＤ方式では、順方向リンク送信および逆方向リンク送信が同じ周波数域上にある。この結果、相互性原理（reciprocity principle）によって逆方向リンク・チャネルから順方向リンク・チャネルの推定が可能になる。このことは、複数のアンテナがアクセス・ポイントにおいて利用可能な場合に、このアクセス・ポイントが順方向リンク上の送信ビーム・フォーミング利得を抽出することを可能にする。
【０００６】
ＬＴＥシステムが急速に複雑になっていることが、ＬＴＥネットワークの運用・保守に対する要求を増加させてきた。したがって、ネイバー・リレーションの背景においては、基地局のネイバー・リストを構成するための手動の努力はまもなく持続不可能なものとなるだろう。したがって、人間のやりとりを減じることが可能でかつネットワークの容量が増加されることが可能となるように、自動的にネイバー・リストを最新化する（update）ことに向けられた方法および機器を有することが望ましいであろう。
【発明の概要】
【０００７】
以下は、そのような実施形態についての基礎的な理解を提供するために、１つまたは複数の実施形態の簡略化された概要を示している。この概要は、全ての企図されている実施形態の広範囲な概観でなく、また、全ての実施形態の要点や重要な要素を特定することもいずれかまたは全ての実施形態の範囲の境界を示すことも意図されていない。その唯一の目的は、後に示されているより詳細な記述に対する前置きとして、１つまたは複数の実施形態のいくつかの考え方を簡略化された形態で提供することである。
【０００８】
１つまたは複数の実施形態およびその対応する開示に従って、様々な側面は、マルチキャリア方式のセルを管理することを促進することとの関連において記述されている。一側面では、基地局からの自動ネイバー・リレーション（ＡＮＲ）機能の実行を促進するための方法、機器、およびコンピュータ・プログラム製品が開示されている。そのような実施形態においては、基地局はアクセス端末からネイバー（隣接）セル検出データを受信し、基地局は、アクセス端末によって検出されたネイバー・セルを特定する。また、基地局は、運用・保守（ＯＡＭ）システムからネイバー・セル管理データを受信する。このデータは、少なくとも１つのＡＮＲ機能を実行することを促進するデータを含んでいる。次に、基地局は、ネイバー・セル管理データおよびネイバー・セル検出データに応じてネイバー・リストを自動的に最新化する。
【０００９】
別の側面では、基地局内のＡＮＲ機能の実行をＯＡＭシステムから促進するための方法、機器、およびコンピュータ・プログラム製品が開示されている。そのような実施形態では、ＯＡＭシステムは基地局からＡＮＲデータを受信する。このデータはネイバー・セル検出データおよび／またはネイバー・リスト報告データを含んでいる。ネイバー・セル検出データは、アクセス端末によって検出されたネイバー・セルを特定し、他方、ネイバー・リスト報告データは、ネイバー・リストに対して作成された最新版（update）の要約を含んでいる。ＯＡＭシステムは、ネイバー・セル管理データをＡＮＲデータに応じて生成する。このデータは、少なくとも１つのＡＮＲ機能を実行することを促進するデータを含んでいる。次に、ＯＡＭシステムは基地局へネイバー・セル管理データを送信する。
【００１０】
前述の関連する目的を達成するために、１つまたは複数の実施形態は、以下に完全に記述されかつ特に請求項において指摘されている要素を具備する。以下の記述および添付図面は、１つまたは複数の実施形態の具体的な例証用の側面を詳細に示している。しかしながら、これらの側面は、様々な実施形態の原理が使用されることが可能な様々な方法の極わずかを示しているに過ぎず、記述されている実施形態はそのような側面およびそれらの等価物を全て含むことを意図されている。
【図面の簡単な説明】
【００１１】
【図１】実施形態に従ってＡＮＲ機能の実行を促進するための典型的な無線通信システムの実例。
【図２】実施形態に従った典型的な基地局ユニットのブロック図。
【図３】実施形態に従って基地局のＡＮＲ機能の実行を促進する電気的コンポーネントの典型的な接続の実例。
【図４】実施形態に従った典型的なＯＡＭシステムのブロック図。
【図５】実施形態に従ってＯＡＭシステム中のＡＮＲ機能の実行を促進する電気的コンポーネントの典型的な接続の実例。
【図６】ＡＮＲ機能の実行を促進するための分散型モデル（distributed model）の典型的な概略図。
【図７】ＡＮＲ機能の実行を促進するための集中型モデルの典型的な概略図。
【図８】ＡＮＲ機能の実行を促進するためのハイブリッド型モデルの典型的な概略図。
【図９】本明細書において示されている様々な側面に従った無線通信システムの実例。
【図１０】本明細書において記述されている様々なシステムおよび方法と共に使用されることが可能な典型的な無線ネットワーク環境の実例。
【図１１】本明細書において記述されている様々な側面に従った典型的な基地局の実例。
【図１２】本明細書において記述されている様々な側面に従って実現されている典型的な無線端末の実例。
【発明を実施するための形態】
【００１２】
次に、様々な実施形態が図面を参照して記述される。全図面にわたって同様の参照数字は同様の要素を参照するために使用されている。以下の記述では、説明目的のため、多くの詳細事項が１つまたは複数の実施形態についての十分な理解を提供するために示されている。しかしながら、そのような実施形態がこれらの詳細事項なしで実行されることが可能であることは明らかであり得る。別の実例では、周知の構造および装置は、１つ以上の実施形態を記述することを促進するためにブロック図の形態で示されている。
【００１３】
本明細書において記述されている手法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア（搬送波）周波数分割多元接続（ＳＣ−ＦＤＭＡ）、高速パケット・アクセス（ＨＳＰＡ）、および他のシステムのような様々な無線通信システム用に使用されることが可能である。「システム」、「ネットワーク」という用語は多くの場合可換に使用されている。ＣＤＭＡシステムは、ユニバーサル地上無線アクセス（ＵＴＲＡ）、ＣＤＭＡ２０００などのような無線技術を実現することが可能である。ＵＴＲＡは、広帯域ＣＤＭＡ（Ｗ−ＣＤＭＡ）およびＣＤＭＡの他の変形体を含んでいる。ＣＤＭＡ２０００は、ＩＳ−２０００規格、ＩＳ−９５規格、およびＩＳ−８５６規格を網羅する。ＴＤＭＡシステムはグローバル移動体通信システム（ＧＳＭ（登録商標））のような無線技術を実現することが可能である。ＯＦＤＭＡシステムは、エボルブドＵＴＲＡ（ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭなどのような無線技術を実現することが可能である。ＵＴＲＡおよびｅ−ＵＴＲＡは、ユニバーサル・モバイル・テレコミュニケーション・システム（ＵＭＴＳ）の一部である。３ＧＰＰロング・ターム・エボルーション（ＬＴＥ）は、ｅ−ＵＴＲＡを使用するＵＭＴＳの次回のリリースである。これは、上りリンク上でＯＦＤＭＡを使用し、下りリンク上でＳＣ−ＦＤＭＡを使用する。
【００１４】
シングル・キャリア周波数分割多元接続（ＳＣ−ＦＤＭＡ）は、１つのキャリアの変調および周波数領域同等化を利用する。ＳＣ−ＦＤＭＡは、ＯＦＤＭＡシステムのものと同様の性能および本質的に同じ全体的な複雑性を有している。ＳＣ−ＦＤＭＡ信号は、固有のシングル・キャリア構造ゆえに、より低いピーク対平均電力比（ＰＡＰＲ）を有している。ＳＣ−ＦＤＭＡは、例えば、上りリンク通信において使用されることが可能であり、これによって、より低いＰＡＰＲが送信電力効率の点でアクセス端末に対して大きな利点をもたらす。したがって、ＳＣ−ＦＤＭＡは、３ＧＰＰロング・ターム・エボルーション（ＬＴＥ）またはエボルブドＵＴＲＡの中の上りリンク多元接続方式として実現されることが可能である。
【００１５】
高速パケット・アクセス（ＨＳＰＡ）は高速下りリンク・パケット・アクセス（ＨＳＤＰＡ）技術および高速上りリンク・パケット・アクセス（ＨＳＵＰＡ）、またはエンハンスト上りリンク（ＥＵＬ）技術を含み得、ＨＳＰＡ＋技術も含み得る。ＨＳＤＰＡ、ＨＳＵＰＡ、およびＨＳＰＡ＋は、第３世代パートナーシップ・プロジェクト（３ＧＰＰ）仕様書リリース５、リリース６、およびリリース７の１部である。
【００１６】
高速下りリンク・パケット・アクセス（ＨＳＤＰＡ）は、ネットワークからユーザ装置（ＵＥ）までのデータ送信を最適化する。本明細書で使用されているように、ネットワークからユーザ装置ＵＥまでの送信は「下りリンク」（ＤＬ）と称されることが可能である。送信方法は、数メガビット／秒のデータ・レートを可能にすることが可能である。高速下りリンク・パケット・アクセス（ＨＳＤＰＡ）は、移動無線ネットワークの容量を増加させることが可能である。高速上りリンク・パケット・アクセス（ＨＳＵＰＡ）は端末からネットワークまでのデータ送信を最適化することが可能である。本明細書で使用されているように、端末からネットワークまでの送信は「上りリンク」（ＵＬ）と称されることが可能である。上りリンク・データ送信方法は数メガビット／秒のデータ・レートを可能にすることが可能である。ＨＳＰＡ＋は、３ＧＰＰ明細書のリリース７に規定されているように、上りリンクおよび下りリンクの両方において、さらなる改善をもたらす。高速パケット・アクセス（ＨＳＰＡ）法は、典型的には大量のデータ（例えばボイス・オーバーＩＰ（ＶｏＩＰ）、テレビ会議、モバイル・オフィス・アプリケーション）を送信するデータ・サービスにおける下りリンクと上りリンクとの間のより速いインタラクションを可能にする。
【００１７】
ハイブリッド自動再送要求（ＨＡＲＱ）のような高速データ伝送プロトコルは、上りリンクおよび下りリンク上で使用されることが可能である。そのようなプロトコル（例えばハイブリッド自動繰り返し要求（ＨＡＲＱ））は、誤って受信されたかもしれないパケットの再送信を受信体が自動的に要求することを可能にする。
【００１８】
各種実施形態は、アクセス端末との関連で本明細書において記述されている。アクセス端末は、システム、加入者ユニット、加入者局、移動局、モバイル型遠隔局、遠隔端末、モバイル装置、ユーザ端末、端末、無線通信装置、ユーザ・エージェント、ユーザ装置、またはユーザ装置（ＵＥ）と称されることが可能である。アクセス端末は、携帯電話、コードレス電話機、セッション初期化プロトコル（ＳＩＰ）電話、ワイヤレス・ローカル・ループ（ＷＬＬ）局、携帯情報端末（ＰＤＡ）、無線接続能力を有する携帯型装置、演算装置、または無線モデムに接続された他の処理装置であり得る。また、各種実施形態は、基地局との関連で本明細書において記述されている。基地局は、アクセス端末との通信のために利用されることが可能であり、アクセス・ポイント、ノードＢ、エボルブド・ノードＢ（ｅＮｏｄｅＢ）、または他の何らかの用語として称されることが可能である。
【００１９】
次に図１を参照すると、実施形態に従ってＡＮＲ機能の実行を促進するための典型的な無線通信システムの実例が提供されている。例示されているように、システム１００は、複数の基地局１３０および１３２の各々と通信中の運用・保守（ＯＡＭ）装置１１０を含み得る。第１実施形態では、ソース基地局１３０は、自身のネイバー・リストに載っていないセル（例えば複数の基地局１３２のうちのいずれかによってサービス提供されているセル）を検出するのに、ＵＥ１２０に依存している。別の実施形態中では、ネイバー・リレーションがセルに基づいたものであるので、ネイバー・リストはセル特有なものである得る（すなわち、各セルは自身のネイバー・リストを有し得る）。ただし、ＡＮＲ機能は基地局に基づいている。また、ＡＮＲ機能に複数のネイバー・リスト（例えば、各セル用に１つ）を管理させることが可能である。どちらの実施形態の下でも、ＵＥ１２０は、サービス提供しているセル、リスト化されたセル（すなわち、ネイバー・セルのリストの一部としてのＥ−ＵＴＲＡＮによって示されているセル）、検出されたセル（すなわちＥ−ＵＴＲＡＮによって示されていないがＵＥによって検出されたセル）を含むあらゆるタイプのセルについて測定／報告することを基地局１３０によって指示され得る。
【００２０】
次に図２を参照すると、実施形態に従った典型的な基地局ユニットのブロック図が提供されている。例示されているように、基地局ユニット２００は、プロセッサ・コンポーネント（要素、component）２１０、メモリ・コンポーネント２２０、無線通信リソース制御（ＲＲＣ）コンポーネント２３０、ＯＡＭインターフェース・コンポーネント２４０、およびＡＮＲ機能コンポーネント２５０を含み得る。
【００２１】
一側面では、プロセッサ・コンポーネント２１０は、複数の機能のうちのいずれかを実行することと関係するコンピュータ可読命令を実行するように構成されている。プロセッサ・コンポーネント２１０は、１つのプロセッサ、または基地局ユニット２００から通信される情報の分析および／あるいはメモリ・コンポーネント２２０、無線通信リソース制御（ＲＲＣ）コンポーネント２３０、ＯＡＭインターフェース・コンポーネント２４０、および／あるいはＡＮＲ機能コンポーネント２５０によって利用されることが可能な情報の生成に専用の複数のプロセッサであり得る。加えてまたは代替的に、プロセッサ・コンポーネント２１０は、基地局ユニット２００の１つ以上のコンポーネントを制御するように構成され得る。
【００２２】
別の側面では、メモリ・コンポーネント２２０はプロセッサ・コンポーネント２１０に接続され、また、プロセッサ・コンポーネント２１０によって実行されるコンピュータ可読命令を格納するように構成されている。また、メモリ・コンポーネント２２０は、無線通信リソース制御（ＲＲＣ）コンポーネント２３０、ＯＡＭインターフェース・コンポーネント２４０、および／またはＡＮＲ機能コンポーネント２５０のうちのあらゆるものによって生成または／取得されたデータを含む複数の他の種類のデータのうちのあらゆるものを格納するように構成され得る。メモリ・コンポーネント２２０はランダム・アクセス・メモリ、バッテリ駆動型メモリ、ハードディスク、磁気テープ等を含む、多くの様々な構成で構成されることが可能である。また、圧縮および自動バックアップ（例えば、ＲＡＩＤ（Redundant Array of Independent Drives）の使用）のような様々な要素が、メモリ・コンポーネント２２０上で実現されることが可能である。
【００２３】
例示されているように、基地局ユニット２００は、また、ＲＲＣコンポーネント２３０を含んでいる。ＲＲＣコンポーネント２３０は、プロセッサ・コンポーネント２１０に接続されているとともに基地局ユニット２００を複数のアクセス端末のうちのあらゆるものとインターフェースするように構成されている。具体的な実施形態では、ＲＲＣコンポーネント２３０は、基地局ユニット２００とアクセス端末との間の通信を促進するように構成されている。アクセス端末によって検出されたセルに関連する測定値はＲＲＣコンポーネント２３０を介してアクセス端末によって要求および受信される。例えば、ＲＲＣコンポーネント２３０は、アクセス端末によって検出されたセルのグローバルＩＤ（global ID）を確認するようにアクセス端末に命じ得る。そのような命令はアクセス端末から受信された具体的な測定値に対応する物理ＩＤ（physical ID）を参照し得る。
【００２４】
別の側面では、基地局ユニット２００は、また、ＯＡＭインターフェース・コンポーネント２４０を含んでいる。ここで、ＯＡＭインターフェース・コンポーネント２４０は、基地局ユニット２００とＯＡＭシステムとの間の通信を促進するように構成されている。そのような実施形態においては、ＯＡＭインターフェース・コンポーネント２４０はＯＡＭから複数のタイプのあらゆるネイバー・セル管理データを受信するように構成され得る。実際は、いくつかの実施形態については、ＯＡＭインターフェース・コンポーネント２４０は、ＡＮＲ機能の内部処理を促進するデータを受信し得（例えば、ＡＮＲハンドオーバー・ブラックリスト／ホワイトリストおよび／またはＡＮＲ  Ｘ２ブラックリスト／ホワイトリストが、基地局ユニット２００による処理のために受信され得）、他方、別の実施形態は、ＡＮＲ機能の外部処理をカプセル化する（encapsulating）データを受信すること（例えばネイバー・リストをどのように最新化するかについてＯＡＭから明示的なコマンドを受信すること）を含み得る。また、ＯＡＭインターフェース・コンポーネント２４０は、ＯＡＭシステムに最新版を報告するように構成され得る。ＯＡＭシステムは、基地局ユニット２００によって実行されたネイバー・リスト最新版を要約する。
【００２５】
さらに別の側面では、基地局２００は、複数のＡＮＲ機能のうちのいずれかを実行するように構成されているＡＮＲ機能コンポーネント２５０を含んでいる。そのような実施形態においては、ＡＮＲ機能コンポーネント２５０は、様々なＡＮＲ機能を実行するための複数のサブコンポーネント（subcomponent）のうちの任意のものを含み得る。例えば、ネイバー検出サブコンポーネントが、ＲＲＣコンポーネント２３０とインターフェースするために含まれ得る。この場合、検出データは、ＲＲＣコンポーネント２３０からＯＡＭシステムに（すなわち外部処理のために）または基地局ユニット２００中のサブコンポーネントに（すなわち内部処理のために）転送される。したがって、内部処理の場合は、ＡＮＲ機能コンポーネント２５０の典型的な構成は、ネイバー検出サブコンポーネントに接続されたハンドオーバー・リレーション・サブコンポーネントおよび／またはＸ２リレーション・サブコンポーネントを含み得る。また、最新化（update）サブコンポーネントが最新化要求（update request）を実行するために含まれ得る。この場合、そのような要求は内部要求（例えばハンドオーバー・リレーション・サブコンポーネントおよび／あるいはＸ２リレーション・サブコンポーネントからの要求）および／または外部要求（例えばＯＡＭシステムからの要求）を含み得る。
【００２６】
図３を参照すると、本明細書において開示されている側面に従ってＡＮＲ機能の実行を促進するシステム３００が例示されている。システム３００は、例えば基地局内に存在することが可能である。図示されているように、システム３００は、プロセッサ、ソフトウェア、またはその組合せ（例えばファームウェア）によって実行される機能を表わし得る機能ブロックを含み得る。システム３００は、協働が可能な電気的コンポーネントの論理的グルーピング（grouping）３０２を含んでいる。例示されているように、論理的グルーピング３０２は、アクセス端末からネイバー・セル検出データを受信するための電気的コンポーネント３１０を含み得る。さらに、論理的グルーピング３０２は、ＯＡＭシステムからネイバー・セル管理データを受信するための電気的コンポーネント３１２、およびネイバー・セル検出データおよびネイバー・セル管理データに基づいてネイバー・リストの最新化を自動化するための電気的コンポーネント３１４を含み得る。さらに、システム３００は、電気的コンポーネント３１０、３１２、および３１４と関連する機能を実行するための命令を保存するメモリ３２０を含み得る。メモリ３２０の外側にあるものとして示されているが、電気的コンポーネント３１０、３１２、および３１４がメモリ３２０内に存在することが可能であることが理解されるべきである。
【００２７】
次に図４を参照すると、実施形態に従った典型的なＯＡＭシステムのブロック図が提供されている。例示されているように、ＯＡＭシステム４００は、プロセッサ・コンポーネント４１０、メモリ・コンポーネント４２０、受信コンポーネント４３０、ＡＮＲマネージャ・コンポーネント４４０、および送信コンポーネント４５０を含み得る。
【００２８】
基地局ユニット２００内のプロセッサ・コンポーネント２１０と同様に、プロセッサ・コンポーネント４１０は、複数の機能のうちのいずれかを実行することと関係するコンピュータ可読命令を実行するように構成されている。プロセッサ・コンポーネント４１０は、１つのプロセッサ、またはＯＡＭシステム４００と通信される情報の分析および／またはメモリ・コンポーネント４２０、受信コンポーネント４３０、ＡＮＲマネージャ・コンポーネント４４０、ならびに／あるいは送信コンポーネント４５０によって利用されることが可能な情報の生成に専用の複数のプロセッサであり得る。加えてまたは代替的に、プロセッサ・コンポーネント４１０はＯＡＭシステム４００の１つ以上のコンポーネントを制御するように構成され得る。
【００２９】
別の側面では、メモリ・コンポーネント４２０はプロセッサ・コンポーネント４１０に接続され、また、プロセッサ・コンポーネント４１０によって実行されるコンピュータ可読命令を格納するように構成されている。また、メモリ・コンポーネント４２０は、受信コンポーネント４３０、ＡＮＲマネージャ・コンポーネント４４０、および／または送信コンポーネント４５０のうちのあらゆるものによって生成または／取得されたデータを含む複数の他の種類のデータのうちのあらゆるものを格納し得る。ここで、メモリ・コンポーネント４２０が基地局ユニット２００中のメモリ・コンポーネント２２０と類似していることに注目されたい。したがって、メモリ・コンポーネント２２０の前述の特徴／構成のうちのあらゆるものがメモリ・コンポーネント４２０に適用可能であることが認識されるべきである。
【００３０】
例示されているように、ＯＡＭシステム４００は、また、受信コンポーネント４３０および送信コンポーネント４５０を含んでいる。一側面では、受信コンポーネント４３０は、複数の基地局のうちのあらゆるものから複数の種類のデータのうちのあらゆるものを受信するように構成されている。他方、送信コンポーネント４５０は、複数の基地局のうちのあらゆるものに複数の種類のデータのうちのあらゆるものを送信するように構成されている。基地局２００に関して以前に述べられたように、受信コンポーネント４３０によって受信されたデータは、ネイバー検出サブコンポーネントから転送された検出データ、および／または基地局によって実行されたネイバー・リスト最新版を要約するＯＡＭシステム４００に報告された最新版を含み得る。同様に、基地局２００に関しても述べられたように、送信コンポーネント４５０によって送信されたデータは、基地局による処理のためのＡＮＲハンドオーバー・ブラックリスト／ホワイトリストおよび／またはＡＮＲ  Ｘ２ブラックリスト／ホワイトリスト、ならびにＯＡＭシステム４００によって処理された明示的な最新化コマンドを含み得る。
【００３１】
別の側面では、ＯＡＭシステム４００は、様々なＡＮＲ機能のうちのあらゆるものを実行することを促進するための複数の種類の管理データのあらゆるものを生成するように構成されているＡＮＲマネージャ・コンポーネント４４０を含んでいる。すなわち、ＡＮＲマネージャ・コンポーネント４４０は、前述のＡＮＲハンドオーバー・ブラックリスト／ホワイトリスト、ＡＮＲ  Ｘ２ブラックリスト／ホワイトリスト、および／または明示的な最新化コマンドを生成するように構成され得る。この目的のために、ＡＮＲマネージャ・コンポーネント４４０は、コンポーネント・マネージャ層と通信しているネットワーク・マネージャ層を含み得る。ここで、コンポーネント・マネージャ層は、ＡＮＲ機能コンポーネント２５０に類似のＡＮＲ機能を実行するためのハンドオーバー・リレーション・サブコンポーネントおよび／またはＸ２リレーション・サブコンポーネントを含み得る。
【００３２】
次に図５を参照すると、本明細書において開示されている側面に従ったＡＮＲ機能の実行を促進する別のシステム５００が例示されている。システム５００は、例えばＯＡＭシステム内に存在することが可能である。システム３００と同様に、システム５００は、プロセッサ、ソフトウェア、またはその組合せ（例えばファームウェア）によって実行される機能を表わし得る機能ブロックを含み得る。システム５００は、協働が可能な電気的コンポーネントの論理的なグルーピング５０２を含んでいる。例示されているように、論理的グルーピング５０２は、アクセス端末からネイバー・セル検出データを受信するための電気的コンポーネント５１０を含み得る。さらに、論理的グルーピング５０２は、ＯＡＭシステムからネイバー・セル管理データを受信するための電気的コンポーネント５１２、およびネイバー・セル検出データおよびネイバー・セル管理データに基づいてネイバー・リストの最新化を自動化するための電気的コンポーネント５１４を含み得る。さらに、システム５００は、電気的コンポーネント５１０、５１２、および５１４と関連する機能を実行するための命令を保存するメモリ５２０を含み得る。電気的コンポーネント５１０、５１２、および５１４のうちのいずれもが、メモリ５２０内に、またはそのメモリの外部に存在することが可能である。
【００３３】
次に図６を参照すると、ＡＮＲ機能の実行を促進するための分散型モデルの典型的な概略図が提供されている。そのような実施形態においては、ＡＮＲ機能の実行は基地局に集中されている。例示されているように、ｅＮＢは様々なサブコンポーネントを具備するＡＮＲ機能コンポーネントを含んでいる。具体的には、ｅＮＢは、ネイバー・セル検出、ハンドオーバー・リレーション、Ｘ２リレーション、およびネイバー・リスト最新版のためのサブコンポーネントを含んでいることが示されている。
【００３４】
例示されているように、ネイバー・セル検出サブコンポーネントは、アクセス端末からネイバー・セル・データを受信および要求するＲＲＣコンポーネントに接続されている。ＲＲＣコンポーネントから受信されたネイバー・セル・データは、次に、検出サブコンポーネントからハンドオーバー・リレーション・サブコンポーネントおよびＸ２リレーション・サブコンポーネントへ入力される。
【００３５】
この特定の実施形態については、ｅＮＢが、ハンドオーバー・リレーションおよびＸ２リレーションをネイバー・リストから付加／除去されるべきかを判断する。ハンドオーバー・リレーションに関しては、そのような最新版は、ＯＡＭによって提供されるＡＮＲホワイトリスト／ブラックリストによって設定された制約に従うことになっており、セルの物理ＩＤおよびグローバルＩＤは、ハンドオーバー・リレーション・サブコンポーネントによる判断に従ってネイバー・リストから付加／除去される。同様に、Ｘ２リレーションに関しては、そのような最新版は、ＯＡＭによって提供されるＡＮＲ  Ｘ２ブラックリスト／ホワイトリストによって設定された制約に従うことになっており、ネイバー・リストから付加／除去される対象ｅＮＢ／セルのアドレスは、Ｘ２リレーション・サブコンポーネントによって判断される。ここで、示されているように、必要であれば、ＯＡＭの要素マネージャ（ＥＭ）またはネットワーク・マネージャ（ＮＭ）層において対象ｅＮＢ／セルについてのＩＰアドレス照合を実行可能であることが認識されるべきである。
【００３６】
別の側面では、ｅＮＢは、ネイバー・リストの最新版をＯＡＭに通知する。ｅＮＢからネイバー・リスト最新版を受信すると、ＯＡＭは、次いで、ＡＮＲホワイトリスト／ブラックリストおよびＡＮＲ  Ｘ２ブラックリスト／ホワイトリストを最新化し得る。例示されているように、次に、最新のＡＮＲホワイトリスト／ブラックリストおよびＡＮＲ  Ｘ２ブラックリスト／ホワイトリストは、後続のＡＮＲ処理に向けてｅＮＢに提供され得る。
【００３７】
ＯＡＭ内の機能に関して、ｅＮＢからのネイバー・リスト最新版報告がＥＭ層およびＮＭ層の両方にとって可視的であることが認識されるべきである。ＡＮＲ  Ｘ２ブラックリスト／ホワイトリストおよびＡＮＲホワイトリスト／ブラックリストはＮＭ層からＥＭ層へ、およびＥＭからｅＮＢへ送信されることが可能であることも認識されるべきである。この場合、各々に関するＮＭ層とＥＭ層の間の折衝が可能である。例えば、ＥＭ層がローカル情報に基づいてＡＮＲ  Ｘ２ブラックリスト／ホワイトリストを最新化したい場合、この折衝機能は、ＥＭ層がそれを行なうとともにＮＭ層にそれを報告することを可能にする。
【００３８】
次に図７を参照すると、ＡＮＲ機能の実行を促進するための集中型モデルの典型的な概略図が提供されている。そのような実施形態においては、ＡＮＲ機能の実行はＯＡＭに集中されている。この特定の例については、示されているように、ＯＡＭが前述のハンドオーバー・リレーション・サブコンポーネントおよびＸ２リレーション・サブコンポーネントを含んでいる。ここでは、ＲＲＣから検出データを受信すると、ｅＮＢのネイバー検出サブコンポーネントは、この検出データを、さらなる処理に向けてＯＡＭへ転送する。したがって、ハンドオーバー・リレーションに関しては、セルの物理ＩＤおよびグローバルＩＤは、ＯＡＭ内に存在するハンドオーバー・リレーション・サブコンポーネントによる判断に従ってネイバー・リストから付加／除去される。同様に、Ｘ２リレーションに関しては、ネイバー・リストから付加／除去される対象ｅＮＢ／セルのアドレスは、ＯＡＭ内に存在するＸ２リレーション・サブコンポーネントによって判断される。集中型モデルの他の全ての側面は、分散型モデルに実質的に同様である。
【００３９】
次に図８を参照すると、ＡＮＲ機能の実行を促進するためのハイブリッド型モデルの典型的な概略図が提供されている。そのような実施形態においては、ＡＮＲ機能の実行はＯＡＭと基地局の間で分担される。この特定の例については、ハンドオーバー・リレーション・サブコンポーネントはｅＮＢ内に存在し、他方、Ｘ２リレーション・サブコンポーネントはＯＡＭ内に存在する。ここでは、ＲＲＣから検出データを受信すると、ネイバー検出サブコンポーネントは、この検出データを、ｅＮＢ内のハンドオーバー・リレーション・サブコンポーネントおよびＯＡＭ内のＸ２リレーション・サブコンポーネントの両方へ転送する。したがって、ハンドオーバー・リレーションに関しては、セルの物理ＩＤおよびグローバルＩＤは、ｅＮＢ内に存在するハンドオーバー・リレーション・サブコンポーネントによる判断に従ってネイバー・リストから付加／除去される。しかしながら、Ｘ２リレーションに関しては、ネイバー・リストから付加／除去される対象ｅＮＢ／セルのアドレスは、ＯＡＭ内に存在するＸ２リレーション・サブコンポーネントによって判断される。ハイブリッド型モデルの他の全ての面は、分散型モデルおよび集中型モデルの両方に実質的に類似である。
【００４０】
次に図９を参照すると、本明細書において示されている様々な実施形態に従った無線通信システム９００が例示されている。システム９００は、複数のアンテナ群を含み得る基地局９０２を具備する。例えば、あるアンテナ・グループはアンテナ９０４、９０６を含み得、別のグループはアンテナ９０８、９１０を具備し得、さらなるグループはアンテナ９１２、９１４を含み得る。２つのアンテナが各アンテナ・グループについて例示されている。しかしながら、より多くのまたはより少ないアンテナが各グループについて利用されることが可能である。さらに、基地局９０２は送信器チェーンと受信器チェーンを含んでいる。送信器チェーンと受信器チェーンの各々は、当業者によって認識されるように、信号の送信および受信と関連する複数のコンポーネント（例えばプロセッサ、変調器、マルチプレクサ、復調器、デマルチプレクサ、アンテナなど）を具備する。
【００４１】
基地局９０２は、アクセス端末９１６およびアクセス端末９２２のような１つ以上のアクセス端末と通信することが可能である。しかしながら、基地局９０２がアクセス端末９１６、９２２に類似の実質的に任意の数のアクセス端末と通信可能であることが認識されるべきである。アクセス端末９１６、９２２は、例えば携帯電話（セル式電話）、スマートフォン、ラップトップ、携帯型通信装置、携帯型演算装置、衛星ラジオ、全地球測位システム、ＰＤＡ、および／または無線通信システム９００上で通信するための他の適切な装置であり得る。図示されているように、アクセス端末９１６は、アンテナ９１２、９１４と通信している。ここで、アンテナ９１２、９１４は順方向リンク９１８上でアクセス端末９１６へ情報を送信し、逆方向リンク９２０上でアクセス端末９１６から情報を受信する。また、アクセス端末９２２は、アンテナ９０４、９０６と通信している。ここで、アンテナ９０４、９０６は順方向リンク９２４上でアクセス端末９２２へ情報を送信し、逆方向リンク９２６上でアクセス端末９２２から情報を受信する。周波数分割２重（ＦＤＤ）システムでは、例えば、順方向リンク９１８は逆方向リンク９２０によって使用される周波数帯とは異なる周波数帯を利用することが可能であり、また、順方向リンク９２４は逆方向リンク９２６によって使用される周波数帯とは異なる周波数帯を使用することが可能である。さらに、時分割２重（ＴＤＤ）システムでは、順方向リンク９１８および逆方向リンク９２０は共通の周波数帯を利用し、順方向リンク９２４および逆方向リンク９２６は共通の周波数帯を利用することが可能である。
【００４２】
通信の実行用のアンテナおよび／または領域が指定されているアンテナおよび／または領域のグループの各々は、基地局９０２のセクタと称され得る。例えば、アンテナ・グループは、基地局９０２によってカバーされている領域のセクタ内のアクセス端末と通信するように設計されることが可能である。順方向リンク９１８、９２４上での通信では、基地局９０２の送信アンテナは、ビーム・フォーミングを利用してアクセス端末９１６、９２２用の順方向リンク９１８、９２４の信号対雑音比を改善することが可能である。また、基地局９０２は、ビーム・フォーミングを利用して関連する履域にわたって無作為に散在しているアクセス端末９１６、９２２へ送信しているので、ネイバー・セルのアクセス端末は、その全てのアクセス端末へ１つのアンテナを通して送信する基地局と比較して、晒される干渉波がより少なくなり得る。
【００４３】
図１０は例示的無線通信システム１０００を示している。無線通信システム１０００は、簡潔化の目的のため、１つの基地局１０１０と１つのアクセス端末１０５０を示している。しかしながら、システム１０００が複数の基地局および／または複数のアクセス端末を含むことが可能であることが認識されるべきである。この場合、さらなる基地局および／またはアクセス端末は、下に記述されている例示的基地局１０１０およびアクセス端末１０５０と実質的に類似していてもよいし、相違していてもよい。また、基地局１０１０および／またはアクセス端末１０５０が、本明細書に記述の、これらの間の無線通信を促進するためのシステムおよび／または方法を使用することが可能であることが認識されるべきである。
【００４４】
基地局１０１０において、多くのデータ・ストリームについてのトラフィック・データがデータ・ソース１０１２から送信（ＴＸ）データ・プロセッサ１０１４に提供される。一例によれば、各データ・ストリームはそれぞれのアンテナを通して送信されることが可能である。ＴＸデータ・プロセッサ１０１４は、トラフィック・データ・ストリームをこのデータ・ストリーム用に選択された具体的な符号化方法に基づいてフォーマットし、符号化し、インターリーブして、符号化されたデータを提供する。
【００４５】
各データ・ストリームについての符号化されたデータは、直交周波数分割多重化（ＯＦＤＭ）技術を使用してパイロット・データと多重化されることが可能である。加えてまたは代替的に、パイロット・シンボルは周波数分割多重化（ＦＤＭ）、または時分割多重化（ＴＤＭ）、符号分割多重化（ＣＤＭ）されることが可能である。パイロット・データは、典型的に、既知の方法で処理されるとともにチャネル応答を推定するためにアクセス端末１０５０で使用され得る既知のデータ・パターンである。各データ・ストリームについての多重化されたパイロット・データおよび符号化されたデータは、このデータ・ストリーム用に選択された具体的な変調方式（例えば２位相偏移変調（ＢＰＳＫ）、４位相偏移変調（ＱＰＳＫ）、ｍ位相偏移変調（Ｍ−ＰＳＫ）、Ｍ直交振幅変調など（Ｍ−ＱＡＭ））に基づいて変調されて（例えばシンボル・マッピングされて）変調シンボルを提供することが可能である。各データ・ストリームについてのデータ・レート、符号化、および変調は、プロセッサ１０３０によって実行される命令によって決定され得る。
【００４６】
データ・ストリームについての変調シンボルは、ＴＸＭＩＭＯプロセッサ１０２０に提供される。ＴＸＭＩＭＯプロセッサ１０２０は、この変調シンボルをさらに（例えばＯＦＤＭのために）処理し得る。次に、ＴＸＭＩＭＯプロセッサ１０２０は、ＮＴ個の変調シンボル・ストリームをＮＴ個の送信器（ＴＭＴＲ）１０２２ａ〜１０２２ｔに提供する。様々な実施形態では、ＴＸＭＩＭＯプロセッサ１０２０は、データ・ストリームのシンボルと、シンボルが送信されているアンテナと、にビーム・フォーミング加重値を適用する。
【００４７】
各送信器１０２２は、それぞれのシンボル・ストリームを受け取るとともに処理して１つまたは複数のアナログ信号を提供し、さらに、このアナログ信号を調整（例えば、増幅、濾波、およびアップコンバート）してＭＩＭＯチャネル上の送信に適する変調された信号を提供する。さらに、送信器１０２２ａ〜１０２２ｔからのＮＴ個の変調された信号は、ＮＴ個のアンテナ１０２４ａ〜１０２４ｔにそれぞれ送られる。
【００４８】
アクセス端末１０５０において、送信された変調された信号は、ＮＲ個のアンテナ１０５２ａ〜１０５２ｒによって受信され、各アンテナ１０５２からの受信された信号は、各受信器（ＲＣＶＲ）１０５４ａ〜１０５４ｒに提供される。各受信器１０５４は、それぞれの信号を調整（例えば濾波、増幅、およびダウンコンバート）し、調整された信号をディジタル化してサンプルを提供し、さらにサンプルを処理して対応する「受信された」シンボル・ストリームを提供する。
【００４９】
ＲＸデータ・プロセッサ１０６０は、特定の受信器処理技術に基づいてＮＲ個の受信器１０５４からのＮＲ個の受信されたシンボル・ストリームを受信するとともに処理してＮＴ個の「検出された」シンボル・ストリームを提供する。ＲＸデータ・プロセッサ１０６０は、各検出されたシンボル・ストリームを復調し、デインタリーブし、および復号してデータ・ストリームについてのトラフィック・データを回復する。ＲＸデータ・プロセッサ１０６０による処理は、基地局１０１０におけるＴＸＭＩＭＯプロセッサ１０２０およびＴＸデータ・プロセッサ１０１４によって行なわれた処理と相補的である。
【００５０】
プロセッサ１０７０は、上に詳述されているように、どの利用可能な技術を利用するかを定期的に決定し得る。さらに、プロセッサ１０７０は、行列インデックス部分およびランク値部分を具備する逆方向リンク・メッセージを策定する。
【００５１】
逆方向リンク・メッセージは、通信リンクおよび／または受信されたデータ・ストリームに関する様々な種類の情報を具備し得る。逆方向リンク・メッセージは、ＴＸデータ・プロセッサ１０３８（これは、データ・ソース１０３６からの多くのデータ・ストリームについてのトラフィック・データも受信する）によって処理され、変調器１０８０によって変調され、送信器１０５４ａ〜１０５４ｒによって調整され、また基地局１０１０に送信されることが可能である。
【００５２】
基地局１０１０では、アクセス端末１０５０からの変調された信号は、アンテナ１０２４によって受信され、受信器１０２２によって調整され、復調器１０４０によって復調され、ＲＸデータ・プロセッサ１０４２によって処理されて、アクセス端末１０５０によって送信された逆方向リンク・メッセージを抽出する。さらに、プロセッサ１０３０は、抽出されたメッセージを処理してビーム・フォーミング加重を決定するためにどの前符号化行列を使用するかを決定することが可能である。
【００５３】
プロセッサ１０３０、１０７０は、基地局１０１０およびアクセス端末１０５０での動作をそれぞれ指揮する（例えば、制御し、調整し、管理するなど）ことが可能である。各プロセッサ１０３０、１０７０は、プログラム・コードおよびデータを格納するメモリ１０３２、１０７２と関連付けられることが可能である。また、プロセッサ１０３０、１０７０は、それぞれ、上りリンクおよび下りリンクについての周波数およびインパルス応答の推定値を導出するための計算を実行することが可能である。
【００５４】
図１１は、様々な側面に従った典型的な基地局１１００を例示している。基地局１１００は、トーン・サブセット割当てシーケンスを実行する。様々なトーン・サブセット割当てシーケンスが、セルの様々なセクタの種類用にそれぞれ生成される。基地局１１００は、受信器１１０２、送信器１１０４、プロセッサ１１０６（例えばＣＰＵ）、入出力インターフェース１１０８、メモリ１１１０を含んでいる。これらは、諸コンポーネント１１０２、１１０４、１１０６、１１０８、および１１１０が、データおよび情報を交換するのに使用し得るバス１１０９によって相互に接続されている。
【００５５】
受信器１１０２に接続されているセクタ化されたアンテナ１１０３は、基地局のセル内の各セクタからの無線端末送信内容から、データおよび他の信号（例えばチャネル報告）を受信するために使用される。送信器１１０４に接続されているセクタ化されたアンテナ１１０５は、基地局のセルの各セクタ内の無線端末１２００（図１２を参照）へデータおよび他の信号（例えば制御信号、パイロット信号、ビーコン信号等）を送信するために使用される。様々な側面において、基地局１１００は、複数の受信器１１０２および複数の送信器１１０４（例えば各セクタ用に個々の受信器１１０２および各セクタ用に個々の送信器１１０４）を使用し得る。プロセッサ１１０６は、例えば汎用中央処理装置（ＣＰＵ）であり得る。プロセッサ１１０６は、メモリ１１１０に格納された１つ以上のルーチン１１１８の指揮の下で基地局１１００の動作を制御し、方法を実現する。Ｉ／Ｏインターフェース１１０８は、ＢＳ１１００を、他のネットワーク・ノードへの接続（他の基地局、アクセス・ルータ、ＡＡＡサーバ・ノード等に接続する）、他のネットワーク、およびインターネットへの接続を提供する。メモリ１１１０は、ルーチン１１１８およびデータ／情報１１２０を含んでいる。
【００５６】
データ／情報１１２０は、データ１１３６、下りリンク・ストリップ・シンボル時間情報１１４０および下りリンク・トーン情報１１４２を含んだトーン・サブセット割当てシーケンス情報１１３８、およびＷＴ情報の複数の組（ＷＴ１情報１１４６およびＷＴＮ情報１１６０）を含む無線端末（ＷＴ）データ／情報１１４４を含んでいる。ＷＴ情報の各組、例えば、ＷＴ１情報１１４６は、データ１１４８、端末ＩＤ１１５０、セクタＩＤ１１５２、上りリンク・チャネル情報１１５４、下りリンク・チャネル情報１１５６、およびモード情報１１５８を含んでいる。
【００５７】
ルーチン１１１８は、通信ルーチン１１２２および基地局制御ルーチン１１２４を含んでいる。基地局制御ルーチン１１２４は、スケジューラ・モジュール１１２６、およびストリップ・シンボル期間用トーン・サブセット割り当てルーチン１１３０、残りのシンボル期間（例えば非ストリップ・シンボル期間）用の他の下りリンク・トーン割り当てホッピング・ルーチン１１３２、ならびにビーコン・ルーチン１１３４を含んだシグナリング・ルーチン１１２８を含んでいる。
【００５８】
データ１１３６は、ＷＴへの送信に先立った符号化のために送信器１１０４の符号化器１１１４に送られる送信されるデータ、および受信に続いて受信器１１０２の復号器１１１２によって処理されたＷＴからの受信されたデータを含んでいる。下りリンク・ストリップ・シンボル時間情報１１４０は、フレーム同期構造情報（例えばスーパースロット、ビーコンスロット、およびウルトラスロット構造情報）と、所与のシンボル期間がストリップ・シンボル期間であるかおよびそうである場合におけるストリップ・シンボル期間のインデックスならびにストリップ・シンボルが基地局によって使用されるトーン・サブセット割当てシーケンスを切り詰めるためのリセット・ポイント（resetting point）であるかを明示する情報と、を含んでいる。下りリンク・トーン情報１１４２は、基地局１１００に割り当てられたキャリア周波数、トーンの数および周波数、ストリップ・シンボル期間に割り当てられるためのトーン・サブセットの組、および他のセルおよびセクタに固有の値（例えばスロープ、スロープ・インデックス、およびセクタ・タイプ）を含む情報を含んでいる。
【００５９】
データ１１４８は、ＷＴ１  １２００がピア・ノードから受信したデータ、ＷＴ１  １２００がピア・ノードに送信されることを望むデータ、およびダウンリンク・チャネル品質報告フィードバック情報を含み得る。端末ＩＤ１１５０は、ＷＴ１  １２００を特定する、基地局１１００が割り当てたＩＤである。セクタＩＤ１１５２は、ＷＴ１  １２００が動作しているセクタを特定する情報を含んでいる。セクタＩＤ１１５２は、例えばセクタ・タイプを割り出すために使用されることが可能である。上りリンク・チャネル情報１１５４は、スケジューラ１１２６によって割り当てられかつＷＴ１  １２００が使用するためのチャネル・セグメント（例えばデータ用の上りリンク・トラフィック・チャネル・セグメント、要求用の専用上りリンク制御チャネル、電力制御、タイミング制御など）を特定する情報を含んでいる。ＷＴ１  １２００に割り当てられた各上りリンク・チャネルは１つ以上の論理トーン（各論理的トーンは、上りリンク・ホッピング・シーケンスに従っている）を含んでいる。下りリンク・チャネル情報１１５６は、ＷＴ１  １２００にデータおよび／または情報を搬送するためにスケジューラ１１２６によって割り当てられたチャネル・セグメント（例えばユーザ・データ用の下りリンクトラフィック・チャネル・セグメント）を特定する情報を含んでいる。ＷＴ１  １２００に割り当てられた各下りリンク・チャネルは１つ以上の論理トーン（各々が、下りリンク・ホッピング・シーケンスに従っている）を含んでいる。モード情報１１５８は、ＷＴ１  １２００の動作状態（例えば、スリープ、ホールド、オン）を特定する情報を含んでいる。
【００６０】
通信ルーチン１１２２は、様々な通信動作を実行し、また様々な通信プロトコルを実行するように基地局１１００を制御する。基地局制御ルーチン１１２４は、基本的な基地局機能タスク（例えば信号生成、受信、スケジューリング）を実行し、かつ、ストリップ・シンボル期間中にトーン・サブセット割当てシーケンスを使用して無線端末への信号送信を含むいくつかの側面の方法のステップを実行するように基地局１１００を制御するために使用される。
【００６１】
シグナリング・ルーチン１１２８は、自身の復号器１１１２を有する受信器１１０２および自身の符号化器１１１４を有する送信器１１０４の動作を制御する。シグナリング・ルーチン１１２８は、送信されるデータ１１３６および制御情報の生成を制御することを担う。トーン・サブセット割り当てルーチン１１３０は、側面の方法を使用しかつ下りリンク・ストリップ・シンボル時間情報１１４０およびセクタＩＤ１１５２を含むデータ／情報１１２０を使用して、ストリップ・シンボル期間中に使用される予定のトーン・サブセットを構築する。下りリンク・トーン・サブセット割当てシーケンスはセル中の各セクタのタイプについて異なり、また、ネイバー・セルについて相違する。ＷＴ１２００は、下りリンク・トーン・サブセット割当てシーケンスに従ってストリップ・シンボル期間中に信号を受信する。基地局１１００は、送信される信号を生成するのに、同じ下りリンク・トーン・サブセット割当てシーケンスを使用する。他の下りリンク・トーン割り当てホッピング・ルーチン１１３２は、下りリンク・トーン情報１１４２および下りリンク・チャネル情報１１５６を含んだ情報を使用して、ストリップ・シンボル期間以外のシンボル期間用の下りリンク・トーン・ホッピング・シーケンスを構築する。下りリンク・データ・トーン・ホッピング・シーケンスはセルの複数セクタにわたって同期されている。ビーコン・ルーチン１１３４は、同期目的に使用され得るビーコン信号（例えば、１つまたは複数のトーンに集中した比較的高電力信号の信号）の送信を制御して、例えば、ウルトラスロット境界に関して下りリンク信号のフレーム・タイミング構造、ひいてはトーン・サブセット割当てシーケンスを同期させる。
【００６２】
図１２は典型的な無線端末（エンド・ノード）１２００を例示している。無線端末１２００はトーン・サブセット割当てシーケンスを実行する。無線端末１２００は、復号器１２１２を含んだ受信器１２０２、符号化器１２１４を含んだ送信器１２０４、プロセッサ１２０６、およびメモリ１２０８を含んでいる。これらは、諸コンポーネント１２０２、１２０４、１２０６、１２０８がデータおよび情報を交換するのに使用され得るバス１２１０によって相互に接続されている。基地局（および／または別の無線端末）から信号を受信するために使用されるアンテナ１２０３は、受信器１２０２に接続されている。（例えば基地局（および／または異なる無線端末）へ）信号を送信するために使用されるアンテナ１２０５は、送信器１２０４に接続されている。
【００６３】
プロセッサ１２０６（例えばＣＰＵ）は、ルーチン１２２０を実行するとともにメモリ１２０８中のデータ／情報１２２２を使用することによって、無線端末１２００の動作を制御し、かつ方法を実現する。
【００６４】
データ／情報１２２２は、ユーザ・データ１２３４、ユーザ情報１２３６、およびトーン・サブセット割当てシーケンス情報１２５０を含んでいる。ユーザ・データ１２３４は、ピア・ノードを宛先とするデータ（これは送信器１２０４による基地局への送信に先立って符号化するために符号化器１２１４に転送される）、および受信器１２０２中の復号器１２１２によって処理された基地局から受信されたデータを含み得る。ユーザ情報１２３６は、上りリンク・チャネル情報１２３８、下りリンク・チャネル情報１２４０、端末ＩＤ情報１２４２、基地局ＩＤ情報１２４４、セクタＩＤ情報１２４６、およびモード情報１２４８を含んでいる。上りリンク・チャネル情報１２３８は、基地局への送信の際に使用するための、基地局によって無線端末１２００に割り当てられた上りリンク・チャネル・セグメントを特定する情報を含んでいる。上りリンク・チャネルは上りリンク・トラフィック・チャネル、専用上りリンク制御チャネル（例えば要求チャネル）、電力制御チャネル、およびタイミング制御チャネルを含み得る。各上りリンク・チャネルは１つ以上の論理トーン（各論理トーンは上りリンク・トーン・ホッピング・シーケンスに従っている）を含んでいる。上りリンク・ホッピング・シーケンスは、セルの各セクタのタイプ相互間、およびネイバー・セル相互間で異なる。下りリンク・チャネル情報１２４０は、基地局がＷＴ１２００にデータ／情報を送信する際の使用のために基地局によってＷＴ１２００に割り当てられた下りリンク・チャネル・セグメントを特定する情報を含んでいる。下りリンク・チャネルは下りリンク・トラフィック・チャネルおよび割り当てチャネルを含み得る。各下りリンク・チャネルは、１つ以上の論理トーンを含んでおり、各論理トーンは下りリンク・ホッピング・シーケンスに従っている。下りリンク・ホッピング・シーケンスはセルの各セクタ間で同期されている。
【００６５】
ユーザ情報１２３６は、また、端末ＩＤ情報１２４２（これは基地局が割り当てたＩＤである）、ＷＴが通信を確立した相手の具体的な基地局を特定する基地局ＩＤ情報１２４４、ＷＴ１２００が現在位置しているセルの具体的なセクタを特定するセクタＩＤ情報１２４６を含んでいる。基地局ＩＤ１２４４はセル・スロープ値を提供し、セクタＩＤ情報１２４６はセクタ・インデックス・タイプを提供する。セル・スロープ値およびセクタ・インデックス・タイプは、トーン・ホッピング・シーケンスを導出するために使用され得る。ユーザ情報１２３６に含まれているモード情報１２４８は、ＷＴ１２００がスリープ・モードであるか、ホールド・モードであるか、またはオン・モードであるかを特定する。
【００６６】
トーン・サブセット割当てシーケンス情報１２５０は、下りリンク・ストリップ・シンボル時間情報１２５２および下りリンク・トーン情報１２５４を含んでいる。下りリンク・ストリップ・シンボル時間情報１２５２は、フレーム同期構造情報（例えばスーパースロット、ビーコンスロット、およびウルトラスロット構造情報）と、所与のシンボル期間がストリップ・シンボル期間であるかおよびそうである場合におけるストリップ・シンボル期間のインデックスならびにストリップ・シンボルが基地局によって使用されるトーン・サブセット割当てシーケンスを切り詰めるためのリセット・ポイントであるかを明示する情報と、を含んでいる。下りリンク・トーン情報１２５４は、基地局に割り当てられたキャリア周波数、トーンの数および周波数、ストリップ・シンボル期間に割り当てられるためのトーン・サブセットの組、および他のセルおよびセクタに固有の値（例えばスロープ、スロープ・インデックス、およびセクタ・タイプ）を含む情報を含んでいる。
【００６７】
ルーチン１２２０は、通信ルーチン１２２４および無線端末制御ルーチン１２２６を含んでいる。通信ルーチン１２２４は、ＷＴ１２００によって使用される様々な通信プロトコルを制御する。無線端末制御ルーチン１２２６は、受信器１２０２および送信器１２０４の制御を含む基本的な無線端末１２００の機能を制御する。無線端末制御ルーチン１２２６は、シグナリング・ルーチン１２２８を含んでいる。シグナリング・ルーチン１２２８は、ストリップ・シンボル期間用トーン・サブセット割り当てルーチン１２３０、および残りのシンボル期間（例えば非ストリップ・シンボル期間）用の他の下りリンク・トーン割り当てホッピング・ルーチン１２３２を含んでいる。トーン・サブセット割り当てルーチン１２３０は、いくつかの側面に従って下りリンク・トーン・サブセット割当てシーケンスを生成しかつ基地局から送信された被受信データを処理するために、下りリンク・チャネル情報１２４０、基地局ＩＤ情報１２４４（例えばスロープ・インデックス、セクタ・タイプ）、および下りリンク・トーン情報１２５４を含んだユーザ・データ／情報１２２２を使用する。他の下りリンク・トーン割り当てホッピング・ルーチン１２３０は、下りリンク・トーン情報１２５４および下りリンク・チャネル情報１２４０を含んだ情報を使用して、ストリップ・シンボル期間以外のシンボル期間用の下りリンク・トーンホッピング・シーケンスを構築する。トーン・サブセット割り当てルーチン１２３０は、プロセッサ１２０６によって実行されると、いつおよびどのトーン上で無線端末１２００が基地局から１つ上のストリップ・シンボル信号を受信する予定かを決定するために使用される。上りリンク・トーン割り当てホッピング・ルーチン１２３０は、基地局から受信された情報に加えてトーン・サブセット割り当て機能を使用して、自身が送信するべきトーンを決定する。
【００６８】
１つ以上の例示的な実施形態において、記述されている機能は、ハードウェア、ソフトウェア、ファームウェア、またはそれらのあらゆる組合せにおいて実現され得る。ソフトウェアにおいて実現される場合、機能は１つまたは複数の指示またはコードとして、コンピュータ可読媒体上で格納または送信され得る。コンピュータ可読媒体は、コンピュータ記憶装置媒体、およびコンピュータ・プログラムのある位置から別の位置への移動を容易にするあらゆる媒体を含む通信媒体、の両方を含んでいる。記憶媒体は、コンピュータによってアクセスされることが可能なあらゆる利用可能な物理的媒体であり得る。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、または命令またはデータ構造の形態の所望のプログラム・コードを運ぶか格納するために使用されることが可能で且つコンピュータによってアクセスされることが可能な他のあらゆる媒体を具備し得る。また、あらゆる接続も当然、コンピュータ可読媒体と称される。例えば、ソフトウェアが、同軸ケーブル、光ファイバーケーブル、撚線対、ディジタル加入者線（ＤＳＬ）、または赤外線、無線およびマイクロ波のような無線技術を使用して、ウェブサイト、サーバ、または他の遠隔ソースから送信される場合、この同軸ケーブル、光ファイバーケーブル、撚線対、ＤＳＬ、または赤外線、無線およびマイクロ波のような無線技術は、媒体の定義に含まれている。本明細書において使用されているディスク（ｄｉｓｋ）とディスク（ｄｉｓｃ）は、コンパクトディスク（ＣＤ）、レーザーディスク（登録商標）、光ディスク、ディジタル多用途ディスク（ＤＶＤ）、フロッピー（登録商標）ディスクおよびブルーレイディスクを含んでいる。ここで、ディスク（ｄｉｓｋ）は通常磁気的にデータを再生し、他方、ディスク（ｄｉｓｃ）はレーザーでデータを光学的に再生する。上記のものの組合せもコンピュータ可読媒体の範囲に含まれるべきである。
【００６９】
実施形態がプログラム・コードまたはコード・セグメントにおいて実行されると、コード・セグメントは、手順、関数、サブプログラム、プログラム、ルーチン、サブルーチン、モジュール、ソフトウェア・パッケージ、クラス、または命令、データ構造、あるいはプログラム文のあらゆる組み合わせを表し得ることが理解されるべきである。コード・セグメントは、情報、データ、引数、パラメータ、またはメモリの内容を渡す、また／または受け取ることにより、別のコード・セグメントまたはハードウェア回路と結合され得る。情報、引数、パラメータ、データ等は、メモリ共有、メッセージ・パッシング、トークン・パッシング、ネットワーク送信などを含む適切な手段を用いることで、渡され、転送され、または送信され得る。さらに、いくつかの側面では、方法またはアルゴリズムのステップおよび／または動作は、機械可読媒体および／またはコンピュータ可読媒体上のコードおよび／または命令の１つあるいは任意の組合せあるいは組として存在することが可能であり、これらはコンピュータ・プログラム製品に組み入れることが可能である。
【００７０】
ソフトウェアでの実現については、本明細書において記述されている技術は、本明細書において記述されている機能を実行するモジュール（例えば手順、関数等）で実現され得る。ソフトウェア・コードは、メモリ・ユニットにおいて格納され、プロセッサによって実行され得る。メモリ・ユニットは、プロセッサ中に実装され得、またはプロセッサの外部で実現され得る。この場合、メモリ・ユニットは、当技術分野において既知の様々な手段によってプロセッサと通信可能に接続されることが可能である。
【００７１】
ハードウェアでの実現については、処理ユニットは、１つ以上の特定用途向け集積回路（ＡＳＩＣ）、ディジタル信号プロセッサ（ＤＳＰ）、ディジタル信号処理デバイス（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、本明細書において記述されている機能を実現するように設計されている電子ユニット、またはこれらの組み合わせで実現され得る。
【００７２】
ここまで記述されたことは、１つ以上の実施形態の例を含んでいる。上記の実施形態を記述する目的でコンポーネントまたは手順の全ての考え得る組み合わせを説明することは当然不可能ではあるが、当業者は様々な実施形態の多くのさらなる組み合わせおよび置換が可能であることを認識し得る。したがって、記述されている実施形態は、添付の請求項に含まれる全てのそのような修正体、変更体、および変形体を包含することを意図されている。さらに、発明を実施するための形態または請求項のいずれかにおいて、用語「含む」が使用される限りでは、当該用語は、請求項における移行句（transitional word）として使用される際の「具備する」の解釈のされ方と同様に包括的であることを意図されている。
【００７３】
本明細書で使用されているような用語「推論する」および「推論」は、捕捉された出来事および／またはデータとしての観察結果の組からシステム、環境、および／またはユーザの状態について推理（reasoning）または推論（inferring）する工程を概して指している。推論は具体的な背景または動作を特定するために使用されることが可能であり、または例えば状態に関する確率分布を生成することが可能である。推論は確率論的、すなわち、データおよび出来事の検討に基づいて関心対象の状態に関する確率分布の算出であり得る。推論は、１組の出来事および／またはデータからより高水準の出来事を構成するのに使用される技術も指し得る。そのような推論は、１組の観察された出来事および／または保存された出来事データ（出来事同士が時間的に隣接して関連しているか、および出来事およびデータが１つまたは複数の出来事およびデータ・ソースに由来するか）から新しい出来事または動作の構造という結果となる。
【００７４】
さらに、本願において使用されているような用語「コンポーネント」、「モジュール」、「システム」等は、コンピュータ関連のエンティティー、ハードウェア、ファームウェア、ハードウェアとソフトウェアとの組み合わせ、ソフトウェア、あるいは実行中のソフトウェアのいずれかを指すことを意図されている。例えば、コンポーネントは、プロセッサ上で実行中のプロセス、プロセッサ、オブジェクト、実行ファイル、実行ファイルのスレッド、プログラムおよび／またはコンピュータであり得る（しかし、これらに限定されない）。例証として、演算装置上で動作するアプリケーション、および演算装置の両方がコンポーネントになり得る。１つ以上のコンポーネントが工程および／または実行ファイルのスレッド内に存在することが可能であり、コンポーネントは１つのコンピュータ内に集中されることおよび／または２つ以上のコンピュータ間で分散されることが可能である。また、これらのコンポーネントは、様々なデータ構造を格納する様々なコンピュータ可読媒体から実行されることが可能である。コンポーネント同士は、例えば１つ以上のデータ・パケット（例えば、ローカル・システム、分散型システム中のコンポーネントと、および／またはインターネットのようなネットワークにわたって信号を通じて他のシステムと通信している別のコンポーネントからのデータ）を有する信号に従ってローカル・プロセスおよび／またはリモート・プロセスを通じて通信することが可能である。
以下に、本願出願時の特許請求の範囲に記載された発明を付記する。
［１］無線ネットワーク中の基地局が自動ネイバー・リレーション（ＡＮＲ）機能の実行を促進するための方法であって、
アクセス端末からネイバー・セル検出データを受信する行為であって、前記ネイバー・セル検出データは前記アクセス端末によって検出されたネイバー・セルを特定する、ネイバー・セル検出データを受信する行為と、
運用・保守（ＯＡＭ）システムからネイバー・セル管理データを受信する行為であって、前記ネイバー・セル管理データは少なくとも１つのＡＮＲ機能を実行することを促進するデータを含む、ネイバー・セル管理データを受信する行為と、
ネイバー・リストの最新化を自動化する行為であって、前記ネイバー・リストは、前記ネイバー・セル管理データおよび前記ネイバー・セル検出データに応じて最新化される、ネイバー・リストの最新化を自動化する行為と、
を実行するための、コンピュータ可読記憶媒体に格納されているコンピュータ実行可能命令を実行するためのプロセッサを使用すること、
を具備する方法。
［２］前記ネイバー・セル管理データを受信する行為が、前記ネイバー・リストのハンドオーバー・リレーション面（aspect）を最新化するためのコマンドを受信することを含む、
［１］の方法。
［３］前記ネイバー・セル管理データを受信する行為が、前記ネイバー・リストのＸ２リレーション面を最新化するためのコマンドを受信することを含む、
［１］の方法。
［４］前記ネイバー・セル管理データを受信する行為が、ハンドオーバー・ブラックリストまたはハンドオーバー・ホワイトリストのうちの少なくとも１つを受信することを含み、
前記自動化する行為が、前記ネイバー・リストのハンドオーバー・リレーション面を、ハンドオーバー・ブラックリストまたはハンドオーバー・ホワイトリストのうちの前記少なくとも１つに応じて最新化することを含む、
［１］の方法。
［５］前記ネイバー・セル管理データを受信する行為が、Ｘ２ブラックリストまたはＸ２ホワイトリストのうちの少なくとも１つを受信することを含み、
前記自動化する行為が、前記ネイバー・リストのＸ２リレーション面をＸ２ブラックリストまたはＸ２ホワイトリストのうちの前記少なくとも１つに応じて最新化することを含む、
［１］の方法。
［６］前記ネイバー・セル管理データを受信する行為が、ＩＰアドレスを受信することを含み、
前記自動化する行為が、前記ＩＰアドレスを含めるように前記ネイバー・リストのＸ２リレーション面を最新化することを含む、
［１］の方法。
［７］前記ＯＡＭシステムにネイバー・リスト報告を送信することをさらに具備し、前記ネイバー・リスト報告が前記ネイバー・リストに対して作成された最新版の要約を含む、
［１］の方法。
［８］グローバルＩＤ要求を前記アクセス端末へ送信することをさらに具備し、
前記グローバルＩＤ要求が、前記ネイバー・セル検出データ中で識別されたネイバー・セルに対応し、
前記自動化する行為が、前記アクセス端末から受信されたグローバルＩＤを含めるように前記ネイバー・リストを最新化することを含む、
［１］の方法。
［９］前記ネイバー・セル検出データの少なくとも一部を前記ＯＡＭシステムに送信することをさらに具備する、
［１］の方法。
［１０］前記ネイバー・セル管理データを受信する行為が、ネイバー・リスト最新化要求を受信することを含み、
前記ネイバー・リスト最新化要求が、ハンドオーバー・リレーション最新版またはＸ２リレーション最新版の少なくとも１つを含み、
前記自動化する行為が、前記ネイバー・リストのハンドオーバー・リレーション面または前記ネイバー・リストのＸ２リレーション面の少なくとも１つを前記ネイバー・リスト最新化要求に応じて最新化することを含む、
［１］の方法。
［１１］無線システムにおいて自動ネイバー・リレーション（ＡＮＲ）機能の実行を促進するための基地局であって、
コンピュータ可読命令を格納するように構成されているメモリ・コンポーネントと、
前記メモリ・コンポーネントに接続され、コンピュータ可読命令を実行するように構成されている処理コンポーネントであって、前記命令は、複数の行為を、
前記基地局とアクセス端末との間の通信を促進するように構成されている無線通信リソース制御（ＲＲＣ）コンポーネントであって、前記ＲＲＣコンポーネントは前記アクセス端末からネイバー・セル検出データを受信するように構成されており、前記ネイバー・セル検出データは前記アクセス端末によって検出されたネイバー・セルを特定する、無線通信リソース制御（ＲＲＣ）コンポーネントと、
前記基地局と運用・保守（ＯＡＭ）システムとの間の通信を促進するように構成されているインターフェース・コンポーネントであって、前記インターフェース・コンポーネントは前記ＯＡＭシステムからネイバー・セル管理データを受信するように構成されており、前記ネイバー・セル管理データは少なくとも１つのＡＮＲ機能を実行することを促進するデータを含んでいる、インターフェース・コンポーネントと、
自動的にネイバー・リストを最新化するように構成されているＡＮＲ機能コンポーネントであって、前記ネイバー・リストは前記ネイバー・セル管理データおよび前記ネイバー・セル検出データに応じて最新化される、ＡＮＲ機能コンポーネントと、
に対して実行するための命令を含んでいる、処理コンポーネントと、
を具備する基地局。
［１２］前記ネイバー・セル管理データが、前記ネイバー・リストのハンドオーバー・リレーション面を最新化するためのコマンドを含み、
前記ＡＮＲ機能コンポーネントが、前記コマンドをハンドオーバー・リレーション・サブコンポーネントへの入力として受信するように構成されており、
前記ＡＮＲ機能コンポーネントが、前記コマンドに従って前記ネイバー・リストの前記ハンドオーバー・リレーション面を自動的に最新化するように構成されている、
［１１］の基地局。
［１３］前記ネイバー・セル管理データが、前記ネイバー・リストのＸ２リレーション面を最新化するためのコマンドを含み、
前記ＡＮＲ機能コンポーネントが、前記コマンドをＸ２リレーション・サブコンポーネントへの入力として受信するように構成されており、
前記ＡＮＲ機能コンポーネントが、前記コマンドに従って前記ネイバー・リストの前記Ｘ２リレーション面を自動的に最新化するように構成されている、
［１１］の基地局。
［１４］前記ネイバー・セル管理データが、ハンドオーバー・ブラックリストまたはハンドオーバー・ホワイトリストのうちの少なくとも１つを含み、
前記ＡＮＲ機能コンポーネントが、ハンドオーバー・ブラックリストまたはハンドオーバー・ホワイトリストのうちの前記少なくとも１つをハンドオーバー・リレーション・サブコンポーネントへの入力として受信するように構成されており、
前記ＡＮＲ機能コンポーネントが、前記ネイバー・リストのハンドオーバー・リレーション面をハンドオーバー・ブラックリストまたはハンドオーバー・ホワイトリストのうちの前記少なくとも１つに応じて自動的に最新化するように構成されている、
［１１］の基地局。
［１５］前記ネイバー・セル管理データが、Ｘ２ブラックリストまたはＸ２ホワイトリストのうちの少なくとも１つを含み、
前記ＡＮＲ機能コンポーネントが、Ｘ２ブラックリストまたはＸ２ホワイトリストのうちの前記少なくとも１つをＸ２リレーション・サブコンポーネントへの入力として受信するように構成されており、
前記ＡＮＲ機能コンポーネントが、前記ネイバー・リストのＸ２リレーション面を前記Ｘ２ブラックリストまたはＸ２ホワイトリストのうちの前記少なくとも１つに応じて自動的に最新化するように構成されている、
［１１］の基地局。
［１６］前記ネイバー・セル管理データが、ＩＰアドレスを含み、
前記ＡＮＲ機能コンポーネントが、前記ＩＰアドレスを含めるように前記ネイバー・リストを自動的に最新化するように構成されている、
［１１］の基地局。
［１７］前記インターフェース・コンポーネントが、前記ＯＡＭシステムにネイバー・リスト報告を送信するようにさらに構成されており、
前記ネイバー・リスト報告が、前記ネイバー・リストに対して作成された最新版の要約を含む、
［１１］の基地局。
［１８］前記ＲＲＣコンポーネントが、前記アクセス端末へグローバルＩＤ要求を送信するようにさらに構成されており、
前記グローバルＩＤ要求が、前記ネイバー・セル検出データ中で識別されたネイバー・セルに対応し、
前記ＡＮＲ機能コンポーネントが、前記アクセス端末から受信されたグローバルＩＤを含めるように前記ネイバー・リストを自動的に最新化するように構成されている、
［１１］の基地局。
［１９］前記インターフェース・コンポーネントが、前記ネイバー・セル検出データの少なくとも一部を前記ＯＡＭシステムに送信するようにさらに構成されている、
［１１］の基地局。
［２０］前記ネイバー・セル管理データが、ネイバー・リスト最新化要求を含み、
前記ネイバー・リスト最新化要求が、ハンドオーバー・リレーション最新版またはＸ２リレーション最新版のうちの少なくとも１つを含み、
前記ＡＮＲ機能コンポーネントが、前記ネイバー・リストのハンドオーバー・リレーション面または前記ネイバー・リストのＸ２リレーション面のうちの前記少なくとも１つを前記ネイバー・リスト最新化要求に応じて自動的に最新化するように構成されている、
［１１］の基地局。
［２１］無線システムにおいて自動ネイバー・リレーション（ＡＮＲ）機能の実行を基地局から促進するためのコンピュータ・プログラム製品であって、
アクセス端末からネイバー・セル検出データを受信するためのコードであって、前記ネイバー・セル検出データは前記アクセス端末によって検出されたネイバー・セルを特定する、ネイバー・セル検出データを受信するためのコードと、
運用・保守（ＯＡＭ）システムからネイバー・セル管理データを受信するためのコードであって、前記ネイバー・セル管理データは少なくとも１つのＡＮＲ機能を実行することを促進するデータを含む、ネイバー・セル管理データを受信するためのコードと、
ネイバー・リストの最新化を自動化するためのコードであって、前記ネイバー・リストは前記ネイバー・セル管理データおよび前記ネイバー・セル検出データに応じて最新化される、自動化するためのコードと、
を具備するコンピュータ可読記憶媒体、
を具備する、コンピュータ・プログラム製品。
［２２］無線システムにおいて自動ネイバー・リレーション（ＡＮＲ）機能の実行を基地局から促進するための装置であって、
アクセス端末からネイバー・セル検出データを受信するための手段であって、前記ネイバー・セル検出データは前記アクセス端末によって検出されたネイバー・セルを特定する、ネイバー・セル検出データを受信するための手段と、
運用・保守（ＯＡＭ）システムからネイバー・セル管理データを受信するための手段であって、前記ネイバー・セル管理データは少なくとも１つのＡＮＲ機能を実行することを促進するデータを含む、ネイバー・セル管理データを受信するための手段と、
ネイバー・リストの最新化を自動化するための手段であって、前記ネイバー・リストは、前記ネイバー・セル管理データおよび前記ネイバー・セル検出データに応じて最新化される、ネイバー・リストの最新化を自動化するための手段と、
を具備する装置。
［２３］無線ネットワーク中の運用・保守（ＯＡＭ）システムが基地局内の自動ネイバー・リレーション（ＡＮＲ）機能の実行を促進するための方法であって、
前記基地局からＡＮＲデータを受信する行為であって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対して作成された最新版の要約を含む、受信する行為と、
ネイバー・セル管理データを生成する行為であって、前記ネイバー・セル管理データは前記ＡＮＲデータに応じて生成されかつ少なくとも１つのＡＮＲ機能を実行することを促進するデータを含む、生成する行為と、
前記ネイバー・セル管理データを前記基地局へ送信する行為と、
を実行するための、コンピュータ可読記憶媒体に格納されているコンピュータ実行可能命令を実行するためのプロセッサを使用すること、
を具備する方法。
［２４］前記生成する行為が、前記ネイバー・リストのハンドオーバー・リレーション面を最新化するためのコマンドを含んだネイバー・セル管理データを生成することを含む、
［２３］の方法。
［２５］前記生成する行為が、前記ネイバー・リストのＸ２リレーション面を最新化するためのコマンドを含んだネイバー・セル管理データを生成することを含む、
［２３］の方法。
［２６］前記生成する行為が、ハンドオーバー・ブラックリストまたはハンドオーバー・ホワイトリストのうちの少なくとも１つを含んだネイバー・セル管理データを生成することを含み、
前記少なくとも１つのハンドオーバー・ブラックリストまたはハンドオーバー・ホワイトリストが、前記ネイバー・リストのハンドオーバー・リレーション面を最新化するＡＮＲ機能の実行を促進する、
［２３］の方法。
［２７］ネットワーク・マネージャ層と要素マネージャ層との間の通信を促進することをさらに具備し、
前記生成する行為が、前記少なくとも１つのハンドオーバー・ブラックリストまたはハンドオーバー・ホワイトリストの内容を前記通信に応じて生成する、
［２６］の方法。
［２８］前記生成する行為が、Ｘ２ブラックリストまたはＸ２ホワイトリストのうちの少なくとも１つを含んだネイバー・セル管理データを生成することを含み、
前記少なくとも１つのＸ２ブラックリストまたはＸ２ホワイトリストが、前記ネイバー・リストのＸ２リレーション面を最新化するＡＮＲ機能の実行を促進する、
［２３］の方法。
［２９］ネットワーク・マネージャ層と要素マネージャ層との間の通信を促進することをさらに具備し、
前記生成する行為が、前記少なくとも１つのＸ２ブラックリストまたはＸ２ホワイトリストの内容を前記通信に応じて生成する、
［２８］の方法。
［３０］前記生成する行為が、ＩＰアドレスを含んだネイバー・セル管理データを生成することを具備し、
前記ＩＰアドレスが、前記ＩＰアドレスを含めるように前記ネイバー・リストのＸ２リレーション面を最新化するＡＮＲ機能の実行を促進する、
［２３］の方法。
［３１］前記生成する行為が、ネイバー・リスト最新化要求を含んだネイバー・セル管理データを生成することを具備し、
前記ネイバー・リスト最新化要求が、前記ネイバー・リストのハンドオーバー・リレーション面またはネイバー・リストのＸ２リレーション面の少なくとも１つを前記ネイバー・リスト最新化要求に応じて最新化するＡＮＲ機能の実行を促進する、
［２３］の方法。
［３２］基地局において自動ネイバー・リレーション（ＡＮＲ）機能の実行を促進するための運用・保守（ＯＡＭ）システムであって、
コンピュータ可読命令を格納するように構成されているメモリ・コンポーネントと、
前記メモリ・コンポーネントに接続され、コンピュータ可読命令を実行するように構成されている処理コンポーネントであって、前記命令は、複数の行為を、
前記基地局からＡＮＲデータを受信することを促進するように構成されている受信コンポーネントであって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対して作成された最新版の要約を含む、受信コンポーネントと、
ネイバー・セル管理データを生成することを促進するように構成されているＡＮＲマネージャ・コンポーネントであって、前記ネイバー・セル管理データは前記ＡＮＲデータに応じて生成されかつ少なくとも１つのＡＮＲ機能を実行することを促進するデータを含む、ＡＮＲマネージャ・コンポーネントと、
前記ネイバー・セル管理データを前記基地局へ送信するように構成されている送信コンポーネントと、
に対して実行するための命令を含んでいる、処理コンポーネントと、
を具備するＯＡＭシステム。
［３３］前記ＡＮＲマネージャ・コンポーネントが、前記ネイバー・リストのハンドオーバー・リレーション面を最新化するためのコマンドを含んだネイバー・セル管理データを生成するように構成されている、
［３２］のＯＡＭシステム。
［３４］前記ＡＮＲマネージャ・コンポーネントが、前記ネイバー・リストのＸ２リレーション面を最新化するためのコマンドを含んだネイバー・セル管理データを生成するように構成されている、
［３２］のＯＡＭシステム。
［３５］前記ＡＮＲマネージャ・コンポーネントが、ハンドオーバー・ブラックリストまたはハンドオーバー・ホワイトリストのうちの少なくとも１つを含んだネイバー・セル管理データを生成するように構成されており、
前記少なくとも１つのハンドオーバー・ブラックリストまたはハンドオーバー・ホワイトリストが、前記ネイバー・リストのハンドオーバー・リレーション面を最新化するＡＮＲ機能の実行を促進する、
［３２］のＯＡＭシステム。
［３６］前記ＡＮＲマネージャ・コンポーネントが、ネットワーク・マネージャ層および要素マネージャ層を具備し、
前記ＡＮＲマネージャ・コンポーネントが、前記少なくとも１つのハンドオーバー・ブラックリストまたはハンドオーバー・ホワイトリストの内容を前記ネットワーク・マネージャ層と前記要素マネージャ層との間の折衝に応じて生成するように構成されている、
［３５］のＯＡＭシステム。
［３７］前記ＡＮＲマネージャ・コンポーネントが、Ｘ２ブラックリストまたはＸ２ホワイトリストのうちの少なくとも１つを含んだネイバー・セル管理データを生成するように構成されており、
前記少なくとも１つのＸ２ブラックリストまたはＸ２ホワイトリストが、前記ネイバー・リストのＸ２リレーション面を最新化するＡＮＲ機能の実行を促進する、
［３２］のＯＡＭシステム。
［３８］前記ＡＮＲマネージャ・コンポーネントが、ネットワーク・マネージャ層および要素マネージャ層を具備し、
前記ＡＮＲマネージャ・コンポーネントが、前記少なくとも１つのＸ２ブラックリストまたはＸ２ホワイトリストの内容を前記ネットワーク・マネージャ層と前記要素マネージャ層との間の折衝に応じて生成するように構成されている、
［３７］のＯＡＭ。
［３９］前記ＡＮＲマネージャ・コンポーネントが、ＩＰアドレスを含んだネイバー・セル管理データを生成するように構成されており、
前記ＩＰアドレスが、前記ＩＰアドレスを含めるように前記ネイバー・リストのＸ２リレーション面を最新化するＡＮＲ機能の実行を促進する、
［３２］のＯＡＭ。
［４０］前記ＡＮＲマネージャ・コンポーネントが、ネイバー・リスト最新化要求を含んだネイバー・セル管理データを生成するように構成されており、
前記ネイバー・リスト最新化要求が、前記ネイバー・リストのハンドオーバー・リレーション面またはネイバー・リストのＸ２リレーション面の少なくとも１つを前記ネイバー・リスト最新化要求に応じて最新化するＡＮＲ機能の実行を促進する、
［３２］のＯＡＭ。
［４１］基地局において自動ネイバー・リレーション（ＡＮＲ）機能の実行を運用・保守（ＯＡＭ）システムから促進するためのコンピュータ・プログラム製品であって、
前記基地局からＡＮＲデータを受信するためのコードであって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対して作成された最新版の要約を含む、ＡＮＲデータを受信するためのコードと、
ネイバー・セル管理データを生成するためのコードであって、前記ネイバー・セル管理データは前記ＡＮＲデータに応じて生成されかつ少なくとも１つのＡＮＲ機能を実行することを促進するデータを含む、生成するためのコードと、
前記ネイバー・セル管理データを前記基地局へ送信するためのコードと、
を具備するコンピュータ可読記憶媒体、
を具備する、コンピュータ・プログラム製品。
［４２］基地局において自動ネイバー・リレーション（ＡＮＲ）機能の実行を運用・保守（ＯＡＭ）システムから促進するための装置であって、
前記基地局からＡＮＲデータを受信するための手段であって、前記ＡＮＲデータはネイバー・セル検出データまたはネイバー・リスト報告データのうちの少なくとも１つを含み、前記ネイバー・セル検出データはアクセス端末によって検出されたネイバー・セルを特定し、前記ネイバー・リスト報告データはネイバー・リストに対して作成された最新版の要約を含む、ＡＮＲデータを受信するための手段と、
ネイバー・セル管理データを生成するための手段であって、前記ネイバー・セル管理データは前記ＡＮＲデータに応じて生成されかつ少なくとも１つのＡＮＲ機能を実行することを促進するデータを含む、生成するための手段と、
前記ネイバー・セル管理データを前記基地局へ送信するための手段と、
を具備する装置。
【図１】
0005579698.tif 000002
【図２】
0005579698.tif 000003
【図３】
0005579698.tif 000004
【図４】
0005579698.tif 000005
【図５】
0005579698.tif 000006
【図６】
0005579698.tif 000007
【図７】
0005579698.tif 000008
【図８】
0005579698.tif 000009
【図９】
0005579698.tif 000010
【図１０】
0005579698.tif 000011
【図１１】
0005579698.tif 000012
【図１２】
0005579698.tif 000013